(57)【要約】  本発明は、ツールアタッチメントとツールドライブ手段との自動結合および分離のためのデバイスに関する。ツールアタッチメントおよびツールドライブ手段は、少なくとも２つのワークピースの接続のための接続手段を始動するように構成される。接続手段はネジまたはボルトであり得る。ツールアタッチメントがツールドライブ手段上に置かれることで、ツールアタッチメントがツールドライブ手段と結合および分離され得る。本発明よれば、少なくとも１つのツールアタッチメント受取り空間と、ツールアタッチメント受取り空間内のツールアタッチメントに対する保持手段とを有するマガジンが存在する。ツールドライブ手段に対してツールアタッチメントを結合および解放するために、ツールドライブ手段はツールアタッチメントに対して軸方向に移動可能である。ツールアタッチメントはツールドライブ手段上に形状嵌合の方式で保持される。結合および分離は自動化された方式で起こる。【選択図】図１
2019504773.tif 000002
【特許請求の範囲】
【請求項１】
ツールアタッチメント（２０７）とツールドライブ手段（２１２）との自動結合および分離のためのデバイスであって、前記ツールアタッチメント（２０７）および前記ツールドライブ手段（２１２）は、接続手段の軸方向の移動による少なくとも２つのワークピースの接続のための前記接続手段を始動するように構成され、前記ツールドライブ手段（２１２）と前記ツールアタッチメント（２０７）とが互いに対して軸方向に動かされることで、前記ツールアタッチメント（２０７）は前記ツールドライブ手段（２１２）と結合および分離されることができ、
・前記ツールドライブ手段（２１２）は、形状嵌合の方式で作用する固定エレメント（６０１）とロッキングエレメント（６０２）とを含み、前記固定エレメント（６０１）は前記ロッキングエレメント（６０２）の位置に依存して、固定位置に形状嵌合の方式でロックされるか、または解放位置にあり、前記固定エレメント（６０１）が解放されるときには前記ツールアタッチメント（２０７）が結合可能および解放可能であり、前記固定エレメント（６０１）が前記固定位置にロックされるときには前記ツールドライブ手段（２１２）上に置かれたツールアタッチメント（２０７）が前記固定エレメント（６０１）によって形状嵌合の方式で保持され、前記ロッキングエレメント（６０２）は前記始動エレメント（２１３）とともに、ばね装着（６０５）ユニットを形成し（６０３）、前記ロッキングエレメント（６０２）はばね力（６０５）によって、前記固定エレメント（６０１）が前記固定位置に形状嵌合の方式でロックされる位置に保持され、前記始動エレメント（２１３）がばね力（６０５）に逆らって移動または保持されるときに、前記ロッキングエレメント（６０２）は前記固定エレメント（６０１）が解放される位置に移行し、
・マガジン（２０１）が存在し、前記マガジン（２０１）は、少なくとも１つのツールアタッチメント受取り空間（２０６）、および、前記少なくとも１つのツールアタッチメント受取り空間（２０６）に割り当てられた解放可能かつブロック可能な保持手段（２０８）を有し、前記保持手段によって、前記保持手段（２０８）がブロックされるときに、前記ツールアタッチメント（２０７）は少なくとも前記保持手段（２０８）に対する軸方向の移動に関して形状嵌合および／または圧力嵌合の方式で保持され、前記ツールアタッチメント（２０７）と前記ツールドライブ手段（２１２）とを結合または分離するために、前記ブロック保持手段（２０８）によって保持される前記ツールアタッチメント（２０７）に対して前記ツールドライブ手段（２１２）が、軸方向に移動可能であり、
・前記ツールアタッチメント受取り空間（２０６）には、前記始動エレメント（２１３）に対するクランピングエレメント（２１０）が割り当てられることによって、前記ブロック保持手段（２０８）によって保持される前記ツールアタッチメント（２０７）に対して前記ツールドライブ手段（２１２）が軸方向に動かされるときに、前記始動エレメント（２１３）が前記ツールドライブ手段（２１２）に対してばね力（６０５）に逆らって動かされることで、前記固定エレメント（６０１）が解放される位置に前記ロッキングエレメント（６０２）が移行し、
・前記ツールドライブ手段（２１２）がツールアタッチメント（２０７）と結合されていないとき、前記ツールドライブ手段（２１２）が、前記ブロック保持手段（２０８）によって保持される前記ツールアタッチメント（２０７）に対する軸方向の移動によって前記ツールアタッチメント（２０７）と結合され得るように、前記少なくとも１つのツールアタッチメント受取り空間（２０６）の１つが前記ツールドライブ手段（２１２）に対して位置決めされ得るようなやり方で、前記マガジン（２０１）と前記ツールドライブ手段（２１２）とが互いに対して移動可能である、
ことを特徴とする、デバイス。
【請求項２】
前記マガジン（２０１）は接続手段を受取るための少なくとも１つの接続手段受取り空間をさらに含み、前記ツールドライブ手段（２１２）によって駆動される前記ツールアタッチメント（２０７）による始動によって少なくとも２つのワークピースの接続を確立するために、前記接続手段が軸方向に動かされて前記マガジン（２０１）から出ることで、前記少なくとも２つのワークピースが前記接続手段によって互いに接続されることができ、前記ツールアタッチメント（２０７）はツール係合領域にてそれぞれの前記接続手段を選び、前記接続手段の前記ツール係合領域の下の前記接続手段受取り空間内には、少なくとも前記ツールアタッチメント（２０７）と、適切であれば前記ツールドライブ手段（２１２）とを通すための開口部が存在することを特徴とする、請求項１に記載のデバイス。
【請求項３】
前記クランピングエレメント（２１０）が以下のような仕方で前記保持手段（２０８）に対して軸方向に動かされ得るような仕方で、前記マガジン（２０１）が２つの部分（２０２、２０３）に分けられており、
・前記マガジン（２０１）に挿入されたツールドライブ手段（２１２）であって、前記手段の前記始動エレメント（２１３）は前記クランピングエレメント（２１０）によって前記固定エレメント（６０１）が解放される位置に保持されている、ツールドライブ手段（２１２）と、前記保持手段（２０８）によって前記ツールアタッチメント受取り空間（２０６）に保持されたツールアタッチメント（２０７）とが互いに間隔を置かれるように、第１の位置の前記クランピングエレメント（２１０）と前記保持手段（２０８）とが距離を有し、かつ
・前記クランピングエレメント（２１０）と前記保持手段（２０８）とが前記第１の位置から第２の位置に互いに向かって動かされることができ、前記第２の位置において前記ツールアタッチメント（２０７）は前記ツールドライブ手段（２１２）の上に差し込まれるか、または前記ツールドライブ手段（２１２）の中に差し込まれ、前記ツールアタッチメント（２０７）は前記第１の位置からこの第２の位置への移行においても前記保持手段（２０８）によって保持されており、前記始動エレメント（２１３）がこの第１の位置から前記第２の位置への移行において前記クランピングエレメント（２１０）によってばね力（６０５）に逆らって保持されることによって、前記ロッキングエレメント（６０２）は前記固定エレメント（６０１）が解放される位置にあり、かつ
・前記ツールドライブ手段（２１２）はこの第２の位置から前記クランピングエレメント（２１０）に対する第３の位置に動かされることができ、それによって前記ツールアタッチメント（２０７）は前記ツールドライブ手段（２１２）の上に差し込まれるか、または前記ツールドライブ手段の中に差し込まれて、この位置で前記固定エレメント（６０１）によって保持され、前記第２の位置から前記第３の位置への移行において前記ツールアタッチメント受取り空間（２０６）の保持手段（２０８）は解放され、かつ前記クランピングエレメント（２１０）は解放されることを特徴とする、請求項１または２に記載のデバイス。
【請求項４】
前記少なくとも１つのツールアタッチメント受取り空間（２０６）と、前記少なくとも１つの接続手段受取り空間とは、前記マガジン（２０１）内で互いに隣り合って１つのレベルに配置されることを特徴とする、請求項２または３の一項に記載のデバイス。
【請求項５】
前記マガジン（２０１）は、第１のレベルに配置された複数のツールアタッチメント受取り空間（２０６）と、第２のレベルに配置された複数の接続手段受取り空間とを含み、前記ツールアタッチメント（２０７）が、前記接続手段の軸方向における前記ツールアタッチメント（２０７）の移動において前記接続手段の前記ツール係合領域において前記接続手段を選ぶような仕方で、接続手段受取り空間内の接続手段がツールアタッチメント受取り空間（２０６）内のツールアタッチメント（２０７）に対して位置決めされるような仕方で、前記第２のレベルの前記接続手段受取り空間に対して前記ツールアタッチメント受取り空間（２０６）が前記第１のレベルに位置決めされることを特徴とする、請求項２または３の一項に記載のデバイス。
【請求項６】
前記マガジン（２０１）は、第１のレベルに配置された１つまたは複数のツールアタッチメント受取り空間（２０６）と、第２のレベルに配置された複数の接続手段受取り空間とを含み、前記マガジン（２０１）は少なくとも２つの部分で形成されることによって、前記ツールアタッチメント（２０７）が、前記接続手段の軸方向における前記ツールアタッチメント（２０７）の移動において前記接続手段の前記ツール係合領域において前記接続手段を選ぶような仕方で、接続手段受取り空間内の接続手段がツールアタッチメント受取り空間（２０６）内のツールアタッチメント（２０７）に対して位置決めされるような仕方で、前記第２のレベルの前記接続手段受取り空間を有する第２の部分に対して前記第１のレベルの前記ツールアタッチメント受取り空間（２０６）を有する第１の部分が位置決めされ得ることを特徴とする、請求項２または３の一項に記載のデバイス。
【請求項７】
前記ツールドライブ手段（２１２）は回転可能エレメント（２１４）を含み、前記少なくとも１つの接続手段はネジ山部分を含み、前記ツールアタッチメント（２０７）を前記ツールドライブ手段（２１２）と結合および分離するための前記ツールドライブ手段（２１２）の軸方向の移動は、前記回転可能エレメント（２１４）の回転なしにもたらされることを特徴とする、請求項１〜６のいずれか一項に記載のデバイス。
【請求項８】
請求項１〜７のいずれか一項に記載のデバイスによる少なくとも２つのワークピースの自動接続のための方法であって、
・第１のステップにおいて、ブロック位置にある前記保持手段（２０８）は、少なくとも前記保持手段（２０８）に対する軸方向の移動に関して前記ツールアタッチメント（２０７）を形状嵌合および／または圧力嵌合の方式でブロックし、この第１のステップにおいて、さらに、前記固定エレメント（６０１）が解放される位置に前記ロッキングエレメント（６０２）がくるような仕方で、前記始動エレメント（２１３）がばね弾性力（６０５）に逆らって動かされるか、または前記クランピングエレメント（２１０）によって保持され、この第１のステップにおいて前記ツールアタッチメント（２０７）と前記ツールドライブ手段（２１２）とを結合するために、前記ブロック保持手段（２０８）によって保持された前記ツールアタッチメント（２０７）に対して前記ツールドライブ手段（２１２）が軸方向に動かされ、
・第２のステップにおいて、前記ツールアタッチメント（２０７）と前記ツールドライブ手段（２１２）との前記結合の後に、前記保持手段（２０８）は解放され、かつ前記クランピングエレメント（２１０）が前記始動エレメント（２１３）を解放することによって、前記固定エレメント（６０１）がロックされる位置に前記ロッキングエレメント（６０２）が移行し、
・第３のステップにおいて、前記ツールアタッチメント（２０７）および前記結合されたツールドライブ手段（２１２）によって、少なくとも１つの接続手段が始動され、
・その後の第４のステップにおいて、次に前記マガジンのツールアタッチメント受取り空間（２０６）に前記ツールアタッチメント（２０７）が位置決めされ、
・第５のステップにおいて、このツールアタッチメント受取り空間（２０６）の前記保持手段（２０８）が前記ブロック位置にされ、
・前記第４のステップおよび／または前記第５のステップにおいて、前記始動エレメント（２１３）が前記クランピングエレメント（２１０）によって保持されることによって、前記始動エレメント（２１３）はばね力（６０５）に逆らって移動または保持されることにより、前記固定エレメント（６０１）が解放される位置に前記ロッキングエレメント（６０２）が移行し、
・第６のステップにおいて、前記ツールアタッチメント（２０７）を前記ツールドライブ手段（２１２）から分離するために、前記ブロック保持手段（２０８）によって保持された前記ツールアタッチメント（２０７）に対して前記ツールドライブ手段（２１２）が軸方向に動かされ、
・第７のステップにおいて、前記クランピングエレメント（２１０）が開かれることによって、ばね力（６０５）によって前記固定エレメント（６０１）がロックされる位置を前記ロッキングエレメント（６０２）が有するときの位置に前記始動エレメント（２１３）が移行する、
ことを特徴とする、方法。
【請求項９】
前記マガジン（２０１）内に複数のツールアタッチメント受取り空間（２０６）が存在し、前記第１のステップの前に、前記ブロック保持手段（２０８）によって保持されたこのツールアタッチメント受取り空間（２０６）の前記ツールアタッチメント（２０７）に対する前記ツールドライブ手段（２１２）のその後の相対的な移動において、前記ツールアタッチメント（２０７）が前記ツールドライブ手段（２１２）と結合されるような仕方で、前記ツールドライブ手段（２１２）と前記ツールアタッチメント受取り空間（２０６）の１つとが互いに対して向き付けされることを特徴とする、請求項８に記載の方法。
【請求項１０】
前記ツールドライブ手段（２１２）は回転可能エレメント（２１４）を含み、かつ前記少なくとも１つの接続手段はネジ山部分を含み、前記ブロック保持手段（２０８）によって保持された前記ツールアタッチメント（２０７）に対する前記ツールドライブ手段（２１２）の軸方向の移動は、前記ツールアタッチメント（２０７）と前記ツールドライブ手段（２１２）との結合または分離において、前記回転可能エレメント（２１４）の回転なしに起こることを特徴とする、請求項８または９の一項に記載の方法。
【発明の詳細な説明】
【技術分野】
【０００１】
本発明は、請求項１の前文に従うツールドライブ手段のツールアタッチメントの自動結合および分離のためのデバイスと、請求項８の前文に従う少なくとも２つのワークピースの自動接続のための方法とに関する。
【背景技術】
【０００２】
ネジとして具現化され得る接続手段が公知である。これらのネジはスロット、十字スロット、メクラ穴を含んでもよく、それらの外側端縁は六角形のソケットとして形成されるか、またはそれらの外側端縁はいわゆるトルクス（登録商標）ドライブを受取るように構成されるか、またはネジの端部の外周の構成が六角形のヘッドとして形成される。ネジは、それらに対応して設計されたツールアタッチメントによって選ばれてもよく、このツールアタッチメントはネジ回し、十字ネジ回し、六角ソケットドライブ、トルクス（登録商標）ドライブ、または六角ヘッドとして形成され得る。ネジがツールアタッチメントによって選ばれることを可能にするような他の構成のネジも実現され得る。ツールアタッチメントはいわゆるビットまたはいわゆるレンチソケットとして形成されてもよく、それらのツールアタッチメントをツールドライブ手段の対応するレセプタクルに挿入してもよいし、ツールドライブ手段の上側端部に差し込んでもよい。
【０００３】
ツールドライブ手段上のツールアタッチメントに対する特定の保持力を達成するために、ツールドライブ手段の上側端部において部分的に側方に突出した、ばね弾性的に装着されたボールをツールドライブ手段の上に提供することが公知である。ツールアタッチメントを上または中に差し込むとき、このボールがばね力に逆らってツールアタッチメント手段の上側端部内に押し込まれることで、ツールアタッチメントが上または中に差し込まれ得る。ツールドライブ手段に結合されたツールアタッチメントの最終位置において、このボールがツールアタッチメントの窪みに対応し、ボールはばね力によってこの窪みに押し込まれる。ツールアタッチメントを引き出すためには、ボールが再びばね力に逆らって押される必要がある。この結果として、ばね力に依存するツールドライブ手段上のツールアタッチメントの保持力がもたらされる。
【０００４】
加えて、接続手段はたとえばボルトなどであってもよく、そのボルトはワークピースを互いに対して向き付けしてそれらを接続するために、ワークピースの対応する受取りボアに挿入されてもよい。この場合のツールアタッチメントは、ボルトの外部形状および外部寸法に対応するメクラ穴を含む。結果として、ボルトはツールアタッチメントによって選ばれ、ワークピースの対応する穴にその軸方向に挿入（摺動）され得る。
【０００５】
説明したこれらの例に対応して、ツールアタッチメントとツールドライブ手段とは、少なくとも２つのワークピースを接続するための接続手段を始動するために形成される。接続手段はネジであってもよいし、ボルトであってもよい。少なくとも２つのワークピースの接続を確立することは、接続手段の軸方向の移動によって達成される。ツールドライブ手段とツールアタッチメントとが軸方向で互いに対して動かされることで、ツールアタッチメントとツールドライブ手段とが結合および解放され得る。
【発明の概要】
【発明が解決しようとする課題】
【０００６】
本発明の根底にある目的は、特に少なくとも２つのワークピースの接続の自動的確立を簡単にするデバイスおよび方法を提案することである。この接続の自動的確立は、特に車両、特に自動車両の製造に用いられ得る。これは特に、車両のシャーシが車両本体に接続されるいわゆる統合にも当てはまる。
【課題を解決するための手段】
【０００７】
本発明に従うと、この目的は請求項１に従うデバイスによって達成され、本発明に従うと、このデバイスは以下のやり方で構成される。ツールドライブ手段は、形状嵌合の方式で作用する固定エレメントとロッキングエレメントとを含み、固定エレメントはロッキングエレメントの位置に依存して、固定位置に形状嵌合の方式でロックされるか、または解放位置にある。固定エレメントが解放されるときにはツールアタッチメントが結合可能および解放可能である。固定エレメントが固定位置にロックされるときにはツールドライブ手段上に置かれたツールアタッチメントが固定エレメントによって形状嵌合の方式で保持される。ばね装着始動エレメントがロッキングエレメントに割り当てられ、それによって、ロッキングエレメントは、固定エレメントが固定位置に形状嵌合の方式でロックされる位置に保持される。始動エレメントがばね力に逆らって移動または保持されるときに、ロッキングエレメントは固定エレメントが解放される位置に移行する。さらに、マガジンが存在し、マガジンは、少なくとも１つのツールアタッチメント受取り空間、および、この少なくとも１つのツールアタッチメント受取り空間に割り当てられた解放可能かつブロック可能な保持手段を有し、保持手段によって、保持手段がブロックされるときに、ツールアタッチメントは少なくとも保持手段に対する軸方向の移動に関して形状嵌合および／または圧力嵌合の方式で保持される。ツールアタッチメントとツールドライブ手段とを結合または分離するために、ブロック保持手段によって保持されるツールアタッチメントに対してツールドライブ手段が、軸方向に移動可能である。ツールアタッチメント受取り空間には、始動エレメントに対するクランピングエレメントが割り当てられることによって、ブロック保持手段によって保持されるツールアタッチメントに対してツールドライブ手段が軸方向に動かされるときに、始動エレメントがツールドライブ手段に対してばね力に逆らって動かされることで、固定エレメントが解放される位置にロッキングエレメントが移行する。さらに、ツールドライブ手段がツールアタッチメントと結合されていないとき、ツールドライブ手段が、ブロック保持手段によって保持されるツールアタッチメントに対する軸方向の移動によってツールアタッチメントと結合され得るように、少なくとも１つのツールアタッチメント受取り空間の１つがツールドライブ手段に対して位置決めされ得るようなやり方で、マガジンとツールドライブ手段とが互いに対して移動可能である、
【０００８】
この構成は、さまざまな見地から有利であることが判明している。
【０００９】
一方で、ツールドライブ手段に対する結合ツールアタッチメントの形状嵌合接続の結果として、接続手段の始動の際にツールアタッチメントが確実に保持されてツールドライブ手段から偶発的に外れ得なくなる。偶発的に外れることが起こり得るのはたとえば、ネジが比較的大きいトルクにて回転されており、かつツールアタッチメントがネジヘッド（またはナット）に対してクランプすることによって得られる保持力が、先行技術の状況におけるツールドライブ手段とツールアタッチメントとの圧力嵌合接続からの上述のツールドライブ手段上のツールアタッチメントのホルダにもたらされる力よりも大きいときなどである。記載される場合において、ツールアタッチメントはネジヘッド上に残って外れるだろう。
【００１０】
この理由から、請求項１の主題によって、特に自動動作において、ツールアタッチメントが偶発的に外れて後で探す必要がなくなることが確実にされる。このことは製造の中断ももたらす。
【００１１】
製造における係留性に関するツールアタッチメントのこの改善された装着にもかかわらず、本発明は自動化された方式でツールアタッチメントの交換を行うことを可能にする。
【００１２】
有利であることに、ツールドライブ手段に結合され得るさまざまなツールアタッチメントを受取り得るデバイスが提案される。結果として、ツールアタッチメントの交換によって異なる接続手段が留められ得る。これらの異なる接続手段は、たとえば異なるサイズ（すなわち特に異なるネジ山サイズ）のネジなどであってもよい。
【００１３】
説明した構成は、ツールアタッチメントの交換を行うことを可能にする。ツールアタッチメントの交換のプロセスは、以下の方法請求項とともにより詳細に説明される。
【００１４】
マガジンは簡単な方式で、定められた配置区域による個々のツールアタッチメントの整然とした保存を提供し、ツールアタッチメントはこの配置区域内に保存されて再び取り出され得る。
【００１５】
交換され得る異なるツールアタッチメントを伴うマガジンの構成に加えて、１つまたは複数の接続手段およびツールアタッチメントがマガジン内に保存される構成も考えられる。マガジン内の接続手段が１つの同じツールアタッチメントによって始動され得る限り、マガジン内にはただ１つのツールアタッチメントを保存すれば十分である。この場合、関連するツールアタッチメント（ただ１つのツールアタッチメントであってもよい）がマガジン内に保存されるので、マガジンのすべての接続手段が１つのツールドライブ手段によって処理され得る。
【００１６】
請求項２に記載の構成において、マガジンは、接続手段を受取るための少なくとも１つの接続手段受取り空間をさらに含み、接続手段がその軸方向にマガジンの外に動かされて、ツールドライブ手段によって駆動されるツールアタッチメントによる始動によって少なくとも２つのワークピースの接続を確立することで、少なくとも２つのワークピースは接続手段によって互いに接続されることができ、ここでツールアタッチメントはツール係合領域においてそれぞれの接続手段を選び、接続手段のツール係合領域の下の接続手段受取り空間内には、ツールアタッチメントを通すための開口部が存在する。
【００１７】
この状況においては、欧州特許第２  ４１６  ９２７  Ｂ１号が参照される。この特許明細書から、接続手段に対する複数の受取り空間を有するマガジンを提供することはすでに公知である。最初にこれらの接続手段がこれらの受取り空間の中に位置決めされ、その後これらの接続手段が対応して始動されるためにツールによって選ばれるまで、保持手段によって保持される。
【００１８】
これに対し、請求項２に記載の本発明によるデバイスは、接続手段と１つまたは複数のツールアタッチメントとの両方を中に保存できるマガジンを含む。保存される接続手段に加えて、嵌合ツールアタッチメントまたは複数の嵌合ツールアタッチメントも保存できるため、これは有利であることが判明する。こうしたやり方で形成されたマガジンへのアクセスによって、自動製造プロセスにおける短いサイクル時間によって有利な方式で接続が確立され得る。
【００１９】
請求項３に記載の構成において、マガジンは、次のようなやり方でクランピングエレメントが保持手段に対して軸方向に移動可能となるようなやり方で、２つの部分に分けられる。
・第１の位置のクランピングエレメントと保持エレメントとが、クランピングエレメントによって固定エレメントが解放される位置に保持された始動エレメントを有する、マガジンに挿入されたツールドライブ手段と、保持手段によってツールアタッチメント受取り空間に保持されたツールアタッチメントとが互いに間隔を置かれるような距離を有し、かつ
・クランピングエレメントと保持手段とがこの位置から互いに向かって第２の位置に動かされることができ、この第２の位置においてツールアタッチメントはツールドライブ手段の上に差し込まれるか、またはツールドライブ手段の中に差し込まれ、ツールアタッチメントは第１の位置からこの第２の位置への移行においても保持手段によって保持されており、始動エレメントが第１の位置からこの第２の位置への移行においてばね力に逆らってクランピングエレメントによって保持されることによって、ロッキングエレメントは固定エレメントが解放される位置にあり、かつ
ツールドライブ手段は、この第２の位置からクランピングエレメントに対する第３の位置に動かされることができ、それによってツールアタッチメントがツールドライブ手段の上に差し込まれるか、またはツールドライブ手段の中に差し込まれて固定エレメントによってこの位置に保持され、第２の位置から第３の位置への移行において、ツールアタッチメント受取り空間の保持手段は解放され、クランピングエレメントは解放される。
【００２０】
有利であることに、デバイスの構成が記載され、この構成においてはマガジンへのツールドライブ手段の挿入の際に、始動エレメントがばね力に逆らって自動的に動かされ、次いで保持される。結果として、固定エレメントが解放されることにより、ツールアタッチメントがツールドライブ手段の上に置かれ得る。その後、ツールアタッチメントの保持手段が開かれる。結果として、ツールアタッチメントはツールドライブ手段上にとどまる。その後、クランピングエレメントが開かれることによって、固定エレメントが固定される位置にロッキングエレメントが移行して、ツールアタッチメントを形状嵌合の方式で保持する。
【００２１】
請求項４はデバイスの構成を記載しており、この構成においてはマガジン内の少なくとも１つのツールアタッチメント受取り空間と、少なくとも１つの接続手段受取り空間とが、互いに隣り合って１つのレベルに配置される。
【００２２】
結果として、マガジンは全体として平坦なままである。
【００２３】
しかしここでは、ツールドライブ手段にツールアタッチメントを差込むかまたは挿入するために、最初にツールドライブ手段をマガジンのツール受取り空間に対して軸方向に動かす必要がある。
【００２４】
その後、後で接続手段がもはや接続手段受取り空間内に保持されていないときにこの接続手段を始動できるようにするために、ツールドライブ手段をツールアタッチメントとともに接続手段受取り空間内の接続手段の下に位置決めする必要がある。
【００２５】
その後、接続手段が留められたときに、ツールドライブ手段はツールアタッチメントとともに後向きに動かされる必要がある。ツールアタッチメントをツールアタッチメント受取り空間に戻すときには、ツールドライブ手段を再びツールアタッチメントとともにツールアタッチメント受取り空間に対して位置決めして、軸方向に動かす必要がある。
【００２６】
ツールアタッチメントは再びツールアタッチメント受取り空間内で保持手段によって保持され、ツールアタッチメントをツールドライブ手段から解放するために、ツールドライブ手段は再びツールアタッチメント受取り空間に対して軸方向に動かされる。これは、固定エレメントが解放される位置にロッキングエレメントがあるときの位置において、始動エレメントがばね力に逆らって保持されるときに順に起こる。
【００２７】
しかし全体的に、この配置において、マガジン内には（異なる）ツールアタッチメントに対して提供する必要のあるツールアタッチメント受取り空間としての空間のみが必要であるため、マガジン内の空間は良好に用いられている。残りに対しては、接続手段受取り空間のための空間が利用可能である。たとえば、マガジン内にただ１つのタイプの接続手段が保存されているときは、ただ１つのツールアタッチメント受取り空間を提供すれば十分である。
【００２８】
有利な発展においては、ツールアタッチメント受取り空間または接続手段受取り空間のどちらとしても使用され得る受取り空間が一般的に存在するようなやり方で、マガジンが構成される。ここで保持手段は、受取り空間内のツールアタッチメントおよび接続手段の両方を保持できるようなやり方で構成される。
【００２９】
この有利な発展は、マガジンを柔軟な方式で用いることを可能にする。残りに対してマガジン内に同一の接続手段のみが保存されているとき、マガジン内にはただ１つのツールアタッチメントを保存すれば十分である。マガジン内に異なるタイプの接続手段が保存されているときは、対応するツールアタッチメントに対する対応する数の受取り空間が柔軟な方式で提供され得る。
【００３０】
接続手段受取り空間に対するツールアタッチメント受取り空間の配置も、異なる態様で提供され得る。
【００３１】
請求項５に記載の実施形態において、マガジンは、第１のレベルに配置された複数のツールアタッチメント受取り空間と、第２のレベルに配置された複数の接続手段受取り空間とを含む。ツールアタッチメントが接続手段の軸方向に動かされるときに、接続手段のツール係合領域においてツールアタッチメントが接続手段を選ぶようなやり方で、接続手段受取り空間内の接続手段がツールアタッチメント受取り空間内のツールアタッチメントに対して位置決めされるようなやり方で、第１のレベルのツールアタッチメント受取り空間が接続手段受取り空間に対して配置される。
【００３２】
よって、この請求項が記載する構成において、各場合に１つのツールアタッチメント受取り空間が１つの接続手段受取り空間の下に位置する。これによって、対応する軸方向の移動による接続手段の各装着プロセスの前に、最初にツールアタッチメント受取り空間からのツールアタッチメントを結合し、次いで接続手段を始動し、その後ツールアタッチメントを後退させるときにツールアタッチメント受取り空間内のツールアタッチメントを解放することが可能になる。
【００３３】
よって、以下の移動過程が生じる。
＊ツールドライブ手段をツールアタッチメント受取り空間の下に位置決めする。
＊ツールアタッチメントをツールドライブ手段に結合させるために、ツールドライブ手段をツールアタッチメント受取り空間に対して軸方向に動かす。これを行う際に、ツールアタッチメントはブロックされた保持手段によって保持される。ツールドライブ手段の始動エレメントがクランピングエレメントによってばね力に逆らって保持されることにより、ロッキングエレメントは固定エレメントが解放される位置にある。
＊ツールアタッチメントがツールドライブ手段に結合した後に、保持手段が解放される。同様にクランピングエレメントが解放されることによって、始動エレメントを介して、ロッキングエレメントは固定エレメントが固定される位置に移行する。結果として、ツールアタッチメントはツールドライブ手段の上に形状嵌合の方式で保持される。
＊ツールドライブ手段は結合されたツールアタッチメントとともに、接続手段に向かって軸方向に動かされて、接続手段を始動する。
＊接続手段が自身の最終位置に達したとき、ツールドライブ手段は形状嵌合によって結合したツールアタッチメントとともに後退する。
＊ツールアタッチメントがツールアタッチメント受取り空間に位置するとき、保持手段はブロックされる。同様に、固定エレメントが解放される位置にロッキングエレメントがあるようなやり方で、始動エレメントはクランピングエレメントによってばね力に逆らって保持される。
＊ツールアタッチメントに対するツールドライブ手段のさらなる移動によって、ツールアタッチメントはツールドライブ手段から解放される。
【００３４】
この実施形態において、ツールアタッチメント受取り空間に対する接続手段受取り空間の定められた割り当てが存在することが有利であることが判明している。結果として、さまざまな接続手段が１つのマガジンによって単純な方式で取り扱われ得る。
【００３５】
たとえば、実際にはただ１つのツールアタッチメントが必要とされるただ１つのタイプの接続手段が用いられるときなどに、より高い空間の要求およびツールドライブ手段に対する要求の増加が存在し得る。１つの（同一の）ツールアタッチメントによって始動され得る複数の類似の接続手段がマガジン内に存在するときにも、同じことが当てはまる。
【００３６】
請求項６の構成において、マガジンは、第１のレベルに配置された複数のツールアタッチメント受取り空間と、第２のレベルに配置された複数の接続手段受取り空間とを含む。マガジンは少なくとも２つの部分において構成されており、ツールアタッチメントが接続手段の軸方向に動かされるときに、接続手段のツール係合領域においてツールアタッチメントが接続手段を選ぶようなやり方で、接続手段受取り空間内の接続手段がツールアタッチメント受取り空間上のツールアタッチメントに対して位置決めされ得るようなやり方で、第１のレベルのツールアタッチメント受取り空間を有する第１の部分が、第２のレベルの接続手段受取り空間を有する第２の部分に対して位置決めされ得る。
【００３７】
この構成は請求項５の構成に対応するが、接続手段受取り空間に対するツールアタッチメント受取り空間の固定された割り当ては存在しない。２つの部分が互いに対して位置決めされ得るという事実によって、対応するツールアタッチメント受取り空間がそれぞれの接続手段受取り空間に対して位置決めされることで、複数の同一の接続手段に対して１つのツールアタッチメントを使用できる。これは、請求項５に関連して記載される動きの順序の第１のステップの前に起こる。
【００３８】
請求項７によると、ツールドライブ手段は回転可能なエレメントを含む。少なくとも１つの接続手段は、ネジ山部分を含む。ここで、ツールアタッチメントをツールドライブ手段と結合および分離するためのツールドライブ手段の軸方向の移動は、回転可能エレメントの回転なしに起こる。
【００３９】
したがって軸方向の移動において、この移動がツールアタッチメントを結合および解放するために起こっているものか、さらに接続手段の端部位置に達した後にツールアタッチメントを引き離すために起こっているものかを区別すべきである。軸方向のこれらの移動は、回転可能エレメントの回転によってもたらされる。
【００４０】
ツールドライブ手段がネジ山部分を有する接続手段の始動のために軸方向に動かされるとき、これは対応する方式でネジ山を有する接続手段を軸方向に動かすための回転可能エレメントの回転によって起こる。
【００４１】
ここで、解放された固定エレメントによってツールアタッチメントを結合し得るようなやり方で、ツールドライブ手段とツールアタッチメントとを互いに対して向き付けるようなやり方で、結合の際にツールアタッチメントに対して回転可能エレメントを回転させることは、本発明の範囲内である。しかし、この回転は制限されており、有利にはネジ山部分を有する接続手段を動かすための通常の回転よりも低速で行われる。
【００４２】
請求項８は、先行請求項の１つに従うデバイスによる少なくとも２つのワークピースの自動接続のための方法に関する。
＊第１のステップにおいて、保持手段はブロック位置にあり、少なくとも保持手段に対する軸方向の移動に関して、ツールアタッチメントを形状嵌合および／または圧力嵌合の方式でブロックする。さらにこの第１のステップにおいては、固定エレメントが解放される位置にロッキングエレメントがあるようなやり方で、始動エレメントがクランピングエレメントによってばね弾性力に逆らって移動または保持される。さらにこのステップにおいては、ツールアタッチメントとツールドライブ手段とを結合させるために、ツールドライブ手段はブロック保持手段によって保持されるツールアタッチメントに対して軸方向に動かされる。
＊第２のステップにおいて、ツールアタッチメントとツールドライブ手段との結合の後に、保持手段は解放される。さらに、クランピングエレメントが始動エレメントを解放することによって、ロッキングエレメントは固定エレメントがロックされる位置に移行する。
＊第３のステップにおいて、結合したツールドライブ手段を有するツールアタッチメントによって、少なくとも１つの接続手段が始動される。
＊その後の第４のステップにおいて、ツールアタッチメントはマガジンのツールアタッチメント受取り空間内に位置決めされる。
＊第５のステップにおいて、このツールアタッチメント受取り空間の保持手段はブロック位置にされる。
＊第４および／または第５のステップにおいて、始動エレメントがクランピングエレメントによって保持されることによって、始動エレメントはばね力に逆らって移動または保持され、ロッキングエレメントは固定エレメントが解放される位置に移行する。
＊第６のステップにおいて、ツールドライブ手段からツールアタッチメントを分離するために、ツールドライブ手段は、ブロック保持手段に保持されたツールアタッチメントに対して軸方向に動かされる。
＊第７のステップにおいて、クランピングエレメントが開かれることによって、始動エレメントはばね力によって、固定エレメントがロックされる位置をロッキングエレメントが有するときの位置に移行する。
【００４３】
請求項８による方法は、先行請求項の１つによるマガジンを用いた方法ステップの順序を記載する。よってそこに記載される利点は、請求項８に従う方法にも当てはまる。
【００４４】
請求項９は、マガジン内に複数のツールアタッチメント受取り空間が存在する、本発明の実施形態に関する。第１のステップの前に、このツールアタッチメント受取り空間に対するツールドライブ手段のその後の相対的な移動において、ツールアタッチメントがツールドライブ手段と結合されるようなやり方で、ツールドライブ手段とツールアタッチメント受取り空間の１つとが互いに対して向き付けされる。
【００４５】
請求項１０は、ツールドライブ手段が回転可能エレメントを含む方法の構成に関する。少なくとも１つの接続手段は、ネジ山部分を含む。ツールドライブ手段との結合または分離における、ブロック保持手段に保持されたツールアタッチメントに対するツールドライブ手段の軸方向の移動は、回転可能エレメントの回転なしに起こる。
【００４６】
これは、デバイスの構成を示す請求項７に関連する記載に対応する。
【００４７】
上述の請求項における限り、ブロック保持手段に保持されたツールアタッチメントに対するツールドライブ手段の相対的移動が提供され、これは保持手段が自身の位置にとどまり、ツールドライブ手段が動かされることで実現され得る。同様に、ツールドライブ手段が自身の位置にとどまり、ツールアタッチメントの保持手段がツールアタッチメントに対して動かされることも可能である。保持手段はブロックされているため、ツールアタッチメントもツールドライブ手段に対して動かされる。ここで、保持手段はマガジンに対して移動可能であり得る。同様に、マガジンが複数の部分において形成されて、保持手段を有する部分が全体的に動かされることも可能である。この場合、保持手段はマガジンの対応部分に固定的に取り付けられて、ブロックおよび解放位置の間でのみ切り換え可能である。
【００４８】
本発明の例示的実施形態を図面において表す。図面は以下を示す。
【図面の簡単な説明】
【００４９】
【図１】ツールドライブ手段の例示的実施形態を示す図である。
【図２】ツールドライブ手段を伴う異なる位置におけるマガジンの断面図を示す図である。
【図３】ツールドライブ手段を伴う異なる位置におけるマガジンの断面図を示す図である。
【図４】ツールドライブ手段を伴う異なる位置におけるマガジンの断面図を示す図である。
【図５】ツールドライブ手段を伴う異なる位置におけるマガジンの断面図を示す図である。
【図６】固定エレメント、ロッキングエレメント、および始動エレメントによるツールドライブ手段へのツールアタッチメントの結合の基本原理の説明を示す図である。
【発明を実施するための形態】
【００５０】
図１はツールドライブ手段１に対する例示的実施形態を示しており、これはドライブモーター５およびスピンドル６からなる。
【００５１】
さらにネジ山付きスピンドル２を識別でき、これはサーボモーター３によって駆動される。
【００５２】
ネジ山付きスピンドル２には、雌ネジを有するガイドスレッド４が回転を固定された方式で装着される。
【００５３】
よって、ネジ山付きスピンドル２が動かされるときに、ガイドスレッド４は上向きまたは下向きに動かされる。
【００５４】
ガイドスレッド４には、スピンドルに対するドライブモーター５が装着される。スピンドル６は、ドライブモーター５によって自身の長手軸の周りを回転するように誘導され得る。
【００５５】
スピンドル６は上側端部に嵌合領域を含み、その嵌合領域にツールアタッチメントを嵌合できる。この嵌合領域内にボール７が部分的に突出していることを識別できる。
【００５６】
固定エレメント（ここには示さず）が解放位置にあるとき、このボール７はスピンドル６内に押し込まれ得る。
【００５７】
固定エレメントには、２つの位置の間で後ろおよび前に切り換えられ得るロッキングエレメントが割り当てられる。
【００５８】
この切り換えは、固定エレメントが解放される位置にロッキングエレメントがあるときの位置で始動エレメントがばね力に逆らって保持されることによって起こる。
【００５９】
始動エレメントがこの位置に保持されていないとき、始動エレメントはばね力によって、固定エレメントが固定される位置にロッキングエレメントがあるときの位置に移行する。
【００６０】
それによってボール７が形状嵌合の方式で保持されることで、このスピンドル６が押し出される。このボール７がツールアタッチメントの窪みに係合するとき、それによってアンダーカットが形成され、それによってツールアタッチメントがツールドライブ手段上に形状嵌合の方式で保持される。
【００６１】
固定エレメントが解放位置にあるとき、ツールアタッチメントはこのボール７の上に嵌合される。ボール７の領域において、ツールアタッチメントは窪みを含む。固定エレメントが固定位置にあるとき、ボール７はツールアタッチメントのこの窪みに係合する。ツールアタッチメントの窪みとの係合によって、スピンドル６上のツールアタッチメントに対する形状嵌合的に作用する保持力が存在する。
【００６２】
サーボモーター３のみが駆動されてドライブモーター５が駆動されていないとき、スピンドル６が回転することなくツールドライブ手段１（すなわちドライブモーター５およびスピンドル６）は上向きまたは下向きに動かされる。ドライブモーター５が動作するとき、スピンドル６が回転する。
【００６３】
この実施形態において、ツールドライブ手段１によって接続手段として回転されるネジのネジ山のピッチと、ネジ山付きスピンドル２のピッチとに対応して、サーボモーター３の回転速度は有利にはドライブモーター５の回転速度と同期される。結果として、ツールドライブ手段の鉛直方向の速度は、接続手段の対応する速度と同期される。
【００６４】
図２は、マガジン２０１の断面を示す。このマガジンは２つの部分２０２および２０３からなっており、これらの部分は矢印２０４および２０５に対応して、これら２つの部分２０２および２０３が間隔を置かれている図示された位置から、これらの部分の一方が他方の頂部で静止する位置まで動かされ得る。
【００６５】
マガジン２０１の第１の部分２０２にはツールアタッチメント受取り空間２０６が存在し、その中で、ここではレンチとして形成されたツールアタッチメント２０７が保持手段２０８によって保持される。保持手段２０８は矢印２０９に従って移動可能であることにより、ツールアタッチメント２０７は保持手段２０８によって（図２に表される）ブロック位置で保持される。
【００６６】
マガジン２０１の第２の部分２０３においては、ツールドライブ手段２１２に対する挿入開口部２１１内にクランピングエレメント２１０が形成される。
【００６７】
このクランピングエレメント２１０は、矢印２１６に対応して移動可能なエレメントからなり、これらのエレメントは挿入開口部２１１を解放するか、またはツールドライブ手段２１２の始動エレメント２１３上の窪み２１７と係合されるようなやり方で移動可能である。
【００６８】
ツールドライブ手段２１２のシャフト２１４のみが引かれ、そのシャフト２１４内にツールアタッチメント２０７が挿入される。
【００６９】
ここで、マガジン２０１の第２の部分２０３の挿入開口部２１１にツールドライブ手段２１２が挿入されるとき、クランピングエレメント２１０のエレメントが始動エレメント２１３の窪み２１７に挿入されることで、始動エレメント２１３は図２の破線図示に対応する位置に保持される。これによって、マガジン２０１の第２の部分２０３の挿入開口部２１１にツールドライブ手段２１２が挿入されるとき、始動エレメント２１３はばね力に逆らって固定されて保持される。
【００７０】
図３は図２の部分を示しており、ここではマガジン２０１の第１の部分２０２とマガジン２０１の第２の部分２０３とが図２の矢印２０４および２０５の方向に対応して互いに向かって動かされており、よってマガジン２０１のこれら２つの部分２０２および２０３は一方が他方の頂部にて静止している。
【００７１】
ツールアタッチメント２０７は、ブロック保持手段２０８によってマガジン２０１の第１の部分２０２に対して保持される。ツールドライブ手段２１２は、マガジン２０１の第２の部分２０３に対して固定的に位置決めされる。２つの部分２０２および２０３の互いに向かう移動の結果として、ツールドライブ手段２１２はツールアタッチメント２０７に対して軸方向に動かされる。
【００７２】
ツールアタッチメント２０７の保持手段２０８は、ツールアタッチメント２０７を保持し続ける。
【００７３】
ツールドライブ手段２１２の始動エレメント２１３は、始動エレメント２１３の窪み２１７に挿入されたクランピングエレメント２１０によって、ばね力に逆らって保持される。
【００７４】
結果として、ロッキングエレメントは固定エレメントが解放される位置にある。結果として、ツールドライブ手段２１２のシャフト２１４にツールアタッチメント２０７が挿入され得る。
【００７５】
図４は、次のステップにおいて、マガジン２０１からツールドライブ手段２１２を引き出す前に、ツールアタッチメント２０７の保持手段２０８が解放される様子を示す。結果として、後にマガジン２０１からツールドライブ手段２１２が引き出されるときに、ツールアタッチメント２０７はシャフト２１４内にとどまる。図４のこの位置において、クランピングエレメント２１０はなおも始動エレメント２１３の窪み２１７に係合し、始動エレメント２１３をばね力に逆らって保持する。
【００７６】
図５は、ツールドライブ手段２１２が矢印５０１の方向に対応してマガジン２０１から引き出される様子を示す。
【００７７】
ここで、ツールアタッチメント２０７はツールドライブ手段２１２の上に位置する。
【００７８】
ツールアタッチメント２０７の保持手段２０８が解放される。同様に、クランピングエレメント２１０が解放される。このことは、クランピングエレメント２１０のエレメントが矢印２１６に対応して始動エレメント２１３の窪み２１７から引き出されることで起こる。結果として始動エレメント２１３は解放され、作用するばね力によって、固定エレメントが形状嵌合の方式で固定される位置にロッキングエレメントがあるときの位置に動く。
それによってツールアタッチメント２０７はツールドライブ手段２１２上に形状嵌合の方式で保持され、さらなる装着作業のために利用可能である。
【００７９】
装着作業を行った後に、ツールアタッチメントをツールドライブ手段から取り外して、マガジン２０１のツール受取り空間２０６に保存する場合には、これは図５、４、３、および２の順序で起こる。
【００８０】
図５の図示に対応する第１のステップにおいて、ツールドライブ手段２１２は、マガジン内の開いた保持手段２０８を有するツール受取り空間２０６に挿入される。これは矢印５０１の方向とは逆に起こる。
【００８１】
ここで、クランピングエレメント２１０のエレメントは、始動エレメント２１３の窪み２１７に挿入される。ツールドライブ手段１２がマガジン２０１にさらに挿入されるとき、それによって始動エレメント２１３は、固定エレメントが解放される位置にロッキングエレメントがあるときの位置に動かされ、そこで保持される。
【００８２】
ツールアタッチメント２０７は、なおもシャフト２１４内に位置する。ツールアタッチメント受取り空間２０６の保持手段２０８は、なおも開いている。これは図４の図示に対応する。
【００８３】
その後、図３の表現に対応して、保持手段２０８は、ツールアタッチメント２０７がブロックされる位置にされる。
【００８４】
図２の表示（ツールドライブ手段２１２の破線図示）に対応する次のステップにおいて、マガジン２０１の２つの部分２０２および２０３は、矢印２０４および２０５の方向とは逆に互いから離れるように動かされる。特に、マガジン２０１の部分２０２に対してブロック保持手段２０８によって保持されるツールアタッチメント２０６も、ツールドライブ手段２１２から取り出される。ここで、固定エレメントはまだ解放されている。
【００８５】
結果として、マガジン２０１の２つの部分２０２および２０３が互いから離れるように動かされるとき、ツールアタッチメント２０７はツールドライブ手段２１２のシャフト２１４から引き出される。
【００８６】
その後、ツールドライブ手段２１２は、矢印２１５の方向とは逆に、解放されたクランピングエレメント２１０を有するマガジン２０１から引き出され、別のツールアタッチメントを再装備し得る。
【００８７】
これらの図面の例示的実施形態は、ツールアタッチメント２０７とツールドライブ手段２１２との結合および分離のみを示す。ツールアタッチメント受取り空間（単数または複数）２０６が第１のレベルに配置され、接続手段受取り空間がその真上に配置されるようなやり方でマガジンが構成されるとき、上に配置された接続手段受取り空間から接続手段を出してその装着位置に動かすために、挿入開口部２１１およびツールアタッチメント受取り空間は内法に関して、少なくともツールドライブ手段２１２の始動エレメント２１３を伴うシャフト２１４が挿入開口部２１１およびおそらくはツールアタッチメント受取り空間２０６をも通ってガイドされ得るようなやり方で寸法決めされる必要があることが分かる。
【００８８】
図６は、固定エレメント６０１、ロッキングエレメント６０２、および始動エレメント２１３によるツールドライブ手段２１２へのツールアタッチメント（ここには示さず）の結合の基本原理の説明を示す。
【００８９】
ツールドライブ手段２１２の断面が表される。
【００９０】
始動エレメント２１３を識別でき、これは接続エレメント６０３を介してロッキングエレメント６０２に接続される。前記接続エレメント６０３は、ツールドライブ手段２１２のシャフト２１４の内側に延在する軸方向の長手スロット６０４内に支持される。それによって、接続エレメント６０３を介した始動エレメント２１３およびロッキングエレメント６０２によって形成されるユニットは、ツールドライブ手段２１２のシャフト２１４に対して軸方向に移動できる。ロッキングエレメント６０２は、ツールドライブ手段２１２のシャフト２１４の内側のボア内に延在する。
【００９１】
始動エレメント２１３と、接続エレメント６０３と、ロッキングエレメント６０２とで構成されるユニットはばね弾性装着され（６０５）、ばね力によって図６に示される位置に保持されることが分かる。
【００９２】
始動エレメント２１３は、ツールドライブ手段のシャフト２１４に対して軸方向に、矢印６０６の方向にばね力（６０５）に逆らって移動可能である。ロッキングエレメント６０２が接続エレメント６０３を介して始動エレメント２１３に結合されているという事実によって、始動エレメント２１３が矢印６０６の方向に動かされるとき、ロッキングエレメント６０２は矢印６０７の方向に沿って動かされる。
【００９３】
結果として、シャフト２１４内のボア穴内の固定エレメント６０１の後ろに矢印６０８の方向に位置する空間がアクセス可能にされる。矢印６０８の方向に力を加えると、固定エレメント６０１はシャフト２１４内に入って、シャフト２１４の外表面と同一平面になる。
【００９４】
図６に示される状況においては、ロッキングエレメント６０２が空間を満たしているため、外側から固定エレメント６０１に力が作用したときに固定エレメント６０１がシャフト２１４内に入ることが、形状嵌合の方式で防がれる。
【００９５】
固定エレメント６０１およびロッキングエレメント６０２の互いに対する接触表面は、固定エレメント６０１の底部分におけるこの表面が垂直に、すなわちシャフト２１４の軸方向に延在するようなやり方で設計される。上側部分において、これらの接触表面は傾斜を有するような方式で延在する。ロッキングエレメント６０２がばね力６０５に逆らって下向きに動かされ、かつ固定エレメント６０１がシャフト２１４内に動かされるとき、上側領域における接触表面の傾斜コースによって、ロッキングエレメントがばね力６０５に沿って図６に示される位置に移行するときに、固定エレメント６０１が再び外向きに押されてロッキングエレメントを回避することが達成される。このことは、ロッキングエレメントが図６に示される位置にあるときに固定エレメント６０１が形状嵌合の方式で保持および固定される接触表面の鉛直部分によって達成される。接触表面の鉛直部分があるために、固定エレメント６０１に矢印６０８の方向に力が加えられても、ロッキングエレメント６０２は下向きに押されない。
【００９６】
始動エレメント２１３には、中にクランピングエレメント２１０が係合する窪み２１７が再びみられる。
【００９７】
ロッキングエレメント６０２と固定エレメント６０１とが、シャフト２１４内のそれぞれのボア穴をできる限り完全に満たすことが有利であることが判明している。これは、ロッキングエレメント６０２と固定エレメント６０１とが、それらの表面によってボア穴のそれぞれの壁に当接していることを意味する。結果として、ロッキングエレメント６０１および固定エレメント６０１の可動性が確実にされる。さらにこのことによって、シャフト全体が最大限の寸法安定性を保ち、特にねじり応力および曲げ応力に関する良好な機械的強度を有することが達成される。
【図１】
2019504773.tif 000003
【図２】
2019504773.tif 000004
【図３】
2019504773.tif 000005
【図４】
2019504773.tif 000006
【図５】
2019504773.tif 000007
【図６】
2019504773.tif 000008
【手続補正書】
【提出日】平成30年7月20日(2018.7.20)
【手続補正１】
【補正対象書類名】特許請求の範囲
【補正対象項目名】全文
【補正方法】変更
【補正の内容】
【特許請求の範囲】
【請求項１】
ツールアタッチメント（２０７）とツールドライブ手段（２１２）との自動結合および分離のためのデバイスであって、前記ツールアタッチメント（２０７）および前記ツールドライブ手段（２１２）は、接続手段の軸方向の移動による少なくとも２つのワークピースの接続のための前記接続手段を始動するように構成され、前記ツールドライブ手段（２１２）と前記ツールアタッチメント（２０７）とが互いに対して軸方向に動かされることで、前記ツールアタッチメント（２０７）は前記ツールドライブ手段（２１２）と結合および分離されることができ、
・前記ツールドライブ手段（２１２）は、形状嵌合の方式で作用する固定エレメント（６０１）とロッキングエレメント（６０２）とを含み、前記固定エレメント（６０１）は前記ロッキングエレメント（６０２）の位置に依存して、固定位置に形状嵌合の方式でロックされるか、または解放位置にあり、前記固定エレメント（６０１）が解放されるときには前記ツールアタッチメント（２０７）が結合可能および解放可能であり、前記固定エレメント（６０１）が前記固定位置にロックされるときには前記ツールドライブ手段（２１２）上に置かれたツールアタッチメント（２０７）が前記固定エレメント（６０１）によって形状嵌合の方式で保持され、前記ロッキングエレメント（６０２）はばね弾性の方式で装着され、前記ロッキングエレメント（６０２）に対して始動エレメント（２１３）が提供され、前記ロッキングエレメント（６０２）はばね力（６０５）によって、前記固定エレメント（６０１）が前記固定位置に形状嵌合の方式でロックされる位置に保持され、前記始動エレメント（２１３）がばね力（６０５）に逆らって移動または保持されるときに、前記ロッキングエレメント（６０２）は前記固定エレメント（６０１）が解放される位置に移行し、
・少なくとも１つのツールアタッチメント受取り空間（２０６）を有するマガジン（２０１）が存在し、
・前記ツールドライブ手段（２１２）がツールアタッチメント（２０７）と結合されていないとき、前記ツールドライブ手段（２１２）が前記ツールアタッチメント（２０７）に対する軸方向の移動によって前記ツールアタッチメント（２０７）と結合され得るように、前記少なくとも１つのツールアタッチメント受取り空間（２０６）の１つが前記ツールドライブ手段（２１２）に対して位置決めされ得るようなやり方で、前記マガジン（２０１）と前記ツールドライブ手段（２１２）とが互いに対して移動可能であり、
＞前記ロッキングエレメント（６０２）は前記始動エレメント（２１３）とともに、ばね弾性的に（６０５）装着されるユニットを形成し（６０３）、
＞前記少なくとも１つのツールアタッチメント受取り空間（２０６）には、解放可能かつブロック可能な保持手段（２０８）が割り当てられ、前記保持手段によって、前記保持手段（２０８）がブロックされるときに、前記ツールアタッチメント（２０７）は少なくとも前記保持手段（２０８）に対する軸方向の移動に関して形状嵌合および／または圧力嵌合の方式で保持され、
＞前記ツールアタッチメント受取り空間（２０６）には、前記始動エレメント（２１３）に対するクランピングエレメント（２１０）が割り当てられることによって、前記ブロック保持手段（２０８）によって保持される前記ツールアタッチメント（２０７）に対して前記ツールドライブ手段（２１２）が軸方向に動かされるときに、前記始動エレメント（２１３）が前記ツールドライブ手段（２１２）に対してばね力（６０５）に逆らって動かされることで、前記固定エレメント（６０１）が解放される位置に前記ロッキングエレメント（６０２）が移行し、
＞前記ツールアタッチメント（２０７）と前記ツールドライブ手段（２１２）とを結合または分離するために、前記ブロック保持手段（２０８）によって保持される前記ツールアタッチメント（２０７）に対して前記ツールドライブ手段（２１２）が軸方向に移動可能であることを特徴とする、デバイス。
【請求項２】
前記マガジン（２０１）は接続手段を受取るための少なくとも１つの接続手段受取り空間をさらに含み、前記ツールドライブ手段（２１２）によって駆動される前記ツールアタッチメント（２０７）による始動によって少なくとも２つのワークピースの接続を確立するために、前記接続手段が軸方向に動かされて前記マガジン（２０１）から出ることで、前記少なくとも２つのワークピースが前記接続手段によって互いに接続されることができ、前記ツールアタッチメント（２０７）はツール係合領域にてそれぞれの前記接続手段を選び、前記接続手段の前記ツール係合領域の下の前記接続手段受取り空間内には、少なくとも前記ツールアタッチメント（２０７）と、適切であれば前記ツールドライブ手段（２１２）とを通すための開口部が存在することを特徴とする、請求項１に記載のデバイス。
【請求項３】
前記クランピングエレメント（２１０）が以下のような仕方で前記保持手段（２０８）に対して軸方向に動かされ得るような仕方で、前記マガジン（２０１）が２つの部分（２０２、２０３）に分けられており、
・前記マガジン（２０１）に挿入されたツールドライブ手段（２１２）であって、前記手段の前記始動エレメント（２１３）は前記クランピングエレメント（２１０）によって前記固定エレメント（６０１）が解放される位置に保持されている、ツールドライブ手段（２１２）と、前記保持手段（２０８）によって前記ツールアタッチメント受取り空間（２０６）に保持されたツールアタッチメント（２０７）とが互いに間隔を置かれるように、第１の位置の前記クランピングエレメント（２１０）と前記保持手段（２０８）とが距離を有し、かつ
・前記クランピングエレメント（２１０）と前記保持手段（２０８）とが前記第１の位置から第２の位置に互いに向かって動かされることができ、前記第２の位置において前記ツールアタッチメント（２０７）は前記ツールドライブ手段（２１２）の上に差し込まれるか、または前記ツールドライブ手段（２１２）の中に差し込まれ、前記ツールアタッチメント（２０７）は前記第１の位置からこの第２の位置への移行においても前記保持手段（２０８）によって保持されており、前記始動エレメント（２１３）がこの第１の位置から前記第２の位置への移行において前記クランピングエレメント（２１０）によってばね力（６０５）に逆らって保持されることによって、前記ロッキングエレメント（６０２）は前記固定エレメント（６０１）が解放される位置にあり、かつ
・前記ツールドライブ手段（２１２）はこの第２の位置から前記クランピングエレメント（２１０）に対する第３の位置に動かされることができ、それによって前記ツールアタッチメント（２０７）は前記ツールドライブ手段（２１２）の上に差し込まれるか、または前記ツールドライブ手段の中に差し込まれて、この位置で前記固定エレメント（６０１）によって保持され、前記第２の位置から前記第３の位置への移行において前記ツールアタッチメント受取り空間（２０６）の保持手段（２０８）は解放され、かつ前記クランピングエレメント（２１０）は解放されることを特徴とする、請求項１または２に記載のデバイス。
【請求項４】
前記少なくとも１つのツールアタッチメント受取り空間（２０６）と、前記少なくとも１つの接続手段受取り空間とは、前記マガジン（２０１）内で互いに隣り合って１つのレベルに配置されることを特徴とする、請求項２または３の一項に記載のデバイス。
【請求項５】
前記マガジン（２０１）は、第１のレベルに配置された複数のツールアタッチメント受取り空間（２０６）と、第２のレベルに配置された複数の接続手段受取り空間とを含み、前記ツールアタッチメント（２０７）が、前記接続手段の軸方向における前記ツールアタッチメント（２０７）の移動において前記接続手段の前記ツール係合領域において前記接続手段を選ぶような仕方で、接続手段受取り空間内の接続手段がツールアタッチメント受取り空間（２０６）内のツールアタッチメント（２０７）に対して位置決めされるような仕方で、前記第２のレベルの前記接続手段受取り空間に対して前記ツールアタッチメント受取り空間（２０６）が前記第１のレベルに位置決めされることを特徴とする、請求項２または３の一項に記載のデバイス。
【請求項６】
前記マガジン（２０１）は、第１のレベルに配置された１つまたは複数のツールアタッチメント受取り空間（２０６）と、第２のレベルに配置された複数の接続手段受取り空間とを含み、前記マガジン（２０１）は少なくとも２つの部分で形成されることによって、前記ツールアタッチメント（２０７）が、前記接続手段の軸方向における前記ツールアタッチメント（２０７）の移動において前記接続手段の前記ツール係合領域において前記接続手段を選ぶような仕方で、接続手段受取り空間内の接続手段がツールアタッチメント受取り空間（２０６）内のツールアタッチメント（２０７）に対して位置決めされるような仕方で、前記第２のレベルの前記接続手段受取り空間を有する第２の部分に対して前記第１のレベルの前記ツールアタッチメント受取り空間（２０６）を有する第１の部分が位置決めされ得ることを特徴とする、請求項２または３の一項に記載のデバイス。
【請求項７】
前記ツールドライブ手段（２１２）は回転可能エレメント（２１４）を含み、前記少なくとも１つの接続手段はネジ山部分を含み、前記ツールアタッチメント（２０７）を前記ツールドライブ手段（２１２）と結合および分離するための前記ツールドライブ手段（２１２）の軸方向の移動は、前記回転可能エレメント（２１４）の回転なしにもたらされることを特徴とする、請求項１〜６のいずれか一項に記載のデバイス。
【請求項８】
請求項１〜７のいずれか一項に記載のデバイスによる少なくとも２つのワークピースの自動接続のための方法であって、
・第１のステップにおいて、ブロック位置にある前記保持手段（２０８）は、少なくとも前記保持手段（２０８）に対する軸方向の移動に関して前記ツールアタッチメント（２０７）を形状嵌合および／または圧力嵌合の方式でブロックし、この第１のステップにおいて、さらに、前記固定エレメント（６０１）が解放される位置に前記ロッキングエレメント（６０２）がくるような仕方で、前記始動エレメント（２１３）がばね弾性力（６０５）に逆らって動かされるか、または前記クランピングエレメント（２１０）によって保持され、この第１のステップにおいて前記ツールアタッチメント（２０７）と前記ツールドライブ手段（２１２）とを結合するために、前記ブロック保持手段（２０８）によって保持された前記ツールアタッチメント（２０７）に対して前記ツールドライブ手段（２１２）が軸方向に動かされ、
・第２のステップにおいて、前記ツールアタッチメント（２０７）と前記ツールドライブ手段（２１２）との前記結合の後に、前記保持手段（２０８）は解放され、かつ前記クランピングエレメント（２１０）が前記始動エレメント（２１３）を解放することによって、前記固定エレメント（６０１）がロックされる位置に前記ロッキングエレメント（６０２）が移行し、
・第３のステップにおいて、前記ツールアタッチメント（２０７）および前記結合されたツールドライブ手段（２１２）によって、少なくとも１つの接続手段が始動され、
・その後の第４のステップにおいて、次に前記マガジンのツールアタッチメント受取り空間（２０６）に前記ツールアタッチメント（２０７）が位置決めされ、
・第５のステップにおいて、このツールアタッチメント受取り空間（２０６）の前記保持手段（２０８）が前記ブロック位置にされ、
・前記第４のステップおよび／または前記第５のステップにおいて、前記始動エレメント（２１３）が前記クランピングエレメント（２１０）によって保持されることによって、前記始動エレメント（２１３）はばね力（６０５）に逆らって移動または保持されることにより、前記固定エレメント（６０１）が解放される位置に前記ロッキングエレメント（６０２）が移行し、
・第６のステップにおいて、前記ツールアタッチメント（２０７）を前記ツールドライブ手段（２１２）から分離するために、前記ブロック保持手段（２０８）によって保持された前記ツールアタッチメント（２０７）に対して前記ツールドライブ手段（２１２）が軸方向に動かされ、
・第７のステップにおいて、前記クランピングエレメント（２１０）が開かれることによって、ばね力（６０５）によって前記固定エレメント（６０１）がロックされる位置を前記ロッキングエレメント（６０２）が有するときの位置に前記始動エレメント（２１３）が移行する、方法。
【請求項９】
前記マガジン（２０１）内に複数のツールアタッチメント受取り空間（２０６）が存在し、前記第１のステップの前に、前記ブロック保持手段（２０８）によって保持されたこのツールアタッチメント受取り空間（２０６）の前記ツールアタッチメント（２０７）に対する前記ツールドライブ手段（２１２）のその後の相対的な移動において、前記ツールアタッチメント（２０７）が前記ツールドライブ手段（２１２）と結合されるような仕方で、前記ツールドライブ手段（２１２）と前記ツールアタッチメント受取り空間（２０６）の１つとが互いに対して向き付けされることを特徴とする、請求項８に記載の方法。
【請求項１０】
前記ツールドライブ手段（２１２）は回転可能エレメント（２１４）を含み、かつ前記少なくとも１つの接続手段はネジ山部分を含み、前記ブロック保持手段（２０８）によって保持された前記ツールアタッチメント（２０７）に対する前記ツールドライブ手段（２１２）の軸方向の移動は、前記ツールアタッチメント（２０７）と前記ツールドライブ手段（２１２）との結合または分離において、前記回転可能エレメント（２１４）の回転なしに起こることを特徴とする、請求項８または９の一項に記載の方法。
【手続補正２】
【補正対象書類名】明細書
【補正対象項目名】全文
【補正方法】変更
【補正の内容】
【発明の詳細な説明】
【技術分野】
【０００１】
本発明は、請求項１の前文に従うツールドライブ手段のツールアタッチメントの自動結合および分離のためのデバイスと、請求項８の前文に従う少なくとも２つのワークピースの自動接続のための方法とに関する。
【背景技術】
【０００２】
ネジとして具現化され得る接続手段が公知である。これらのネジはスロット、十字スロット、メクラ穴を含んでもよく、それらの外側端縁は六角形のソケットとして形成されるか、またはそれらの外側端縁はいわゆるトルクス（登録商標）ドライブを受取るように構成されるか、またはネジの端部の外周の構成が六角形のヘッドとして形成される。ネジは、それらに対応して設計されたツールアタッチメントによって選ばれてもよく、このツールアタッチメントはネジ回し、十字ネジ回し、六角ソケットドライブ、トルクス（登録商標）ドライブ、または六角ヘッドとして形成され得る。ネジがツールアタッチメントによって選ばれることを可能にするような他の構成のネジも実現され得る。ツールアタッチメントはいわゆるビットまたはいわゆるレンチソケットとして形成されてもよく、それらのツールアタッチメントをツールドライブ手段の対応するレセプタクルに挿入してもよいし、ツールドライブ手段の上側端部に差し込んでもよい。
【０００３】
ツールドライブ手段上のツールアタッチメントに対する特定の保持力を達成するために、ツールドライブ手段の上側端部において部分的に側方に突出した、ばね弾性的に装着されたボールをツールドライブ手段の上に提供することが公知である。ツールアタッチメントを上または中に差し込むとき、このボールがばね力に逆らってツールアタッチメント手段の上側端部内に押し込まれることで、ツールアタッチメントが上または中に差し込まれ得る。ツールドライブ手段に結合されたツールアタッチメントの最終位置において、このボールがツールアタッチメントの窪みに対応し、ボールはばね力によってこの窪みに押し込まれる。ツールアタッチメントを引き出すためには、ボールが再びばね力に逆らって押される必要がある。この結果として、ばね力に依存するツールドライブ手段上のツールアタッチメントの保持力がもたらされる。
【０００４】
加えて、接続手段はたとえばボルトなどであってもよく、そのボルトはワークピースを互いに対して向き付けしてそれらを接続するために、ワークピースの対応する受取りボアに挿入されてもよい。この場合のツールアタッチメントは、ボルトの外部形状および外部寸法に対応するメクラ穴を含む。結果として、ボルトはツールアタッチメントによって選ばれ、ワークピースの対応する穴にその軸方向に挿入（摺動）され得る。
【０００５】
説明したこれらの例に対応して、ツールアタッチメントとツールドライブ手段とは、少なくとも２つのワークピースを接続するための接続手段を始動するために形成される。接続手段はネジであってもよいし、ボルトであってもよい。少なくとも２つのワークピースの接続を確立することは、接続手段の軸方向の移動によって達成される。ツールドライブ手段とツールアタッチメントとが軸方向で互いに対して動かされることで、ツールアタッチメントとツールドライブ手段とが結合および解放され得る。
【０００６】
特許文献１より、ツールドライブ手段とツールアタッチメントとが自動化された方式で結合および分離され得ることが公知である。ツールアタッチメントとツールドライブ手段とは、接続手段の軸方向の移動によって少なくとも２つのワークピースを接続するための接続手段を始動するように構成される。特許文献１には、ツールドライブ手段とツールアタッチメントとが軸方向に互いに対して動かされることで、ツールアタッチメントとツールドライブ手段とが結合可能および分離可能にされることが記載されている。ツールドライブ手段は、ツールアタッチメントに対して形状嵌合の方式で作用する固定エレメントと、ロッキングエレメントとを含む。固定エレメントは、ロッキングエレメントの位置に依存して形状嵌合の方式でロックされるか、または解放位置にある。固定エレメントが解放されているときは、ツールアタッチメントが結合可能および解放可能である。固定エレメントが固定位置でロックされているとき、ツールドライブ手段に置かれたツールアタッチメントは固定エレメントによって形状嵌合の方式で保持され、ロッキングエレメントはばね弾性の方式で装着されている。ロッキングエレメントに始動エレメントが提供される。ロッキングエレメントはばね力によって、固定エレメントが固定位置で形状嵌合の方式でロックされる位置に保持される。始動エレメントがばね力に逆らって移動または保持されるとき、ロッキングエレメントは固定エレメントが解放される位置に移行する。さらに、少なくとも１つのツールアタッチメント受取り空間を有するマガジンが存在する。ツールドライブ手段がツールアタッチメントに結合されていないとき、マガジンとツールドライブ手段とは、少なくとも１つのツールアタッチメント受取り空間の１つがツールドライブ手段に対して、ツールアタッチメントに対する軸方向の移動によってツールドライブ手段がツールアタッチメントと結合され得るように位置決めされ得るようなやり方で互いに移動可能である。その限りにおいて、特許文献１に従う構成は請求項１の前文に対応する。
【０００７】
特許文献１において、始動手段は、ドライブエレメント（サーボドライブ）によってツールドライブ手段の軸方向にツールドライブ手段に対して動かされる。この移動によって、固定エレメントがその解放位置に来ることができる。その目的のために、始動エレメントはツールアタッチメントの中央を貫通する伸長したピンとして設計される。ツールアタッチメントはいわゆる「レンチ」であり、これは外側でアレンレンチとして設計されたネジヘッドと形状嵌合の方式で係合して、その長手軸の周りを回転する際にネジの回転も誘導するようなやり方で構成される。こうしたレンチはその中央に開口部を含むことによって、この開口部によってレンチがツールドライブ手段に接続され得るようにしている。
【０００８】
特許文献１において、ツールアタッチメント受取り空間は、レンチが形状嵌合の方式で置かれ得る六角形の隆起をこれらの空間が含むようなやり方で構成される。さらに、ツールドライブ手段に対する軸方向の移動によって、ツールドライブ手段の対応する位置決めにおいてロッキングエレメントを解放位置にするために、始動エレメントはこの六角形の隆起によって中心的な方式で誘導される。
【先行技術文献】
【特許文献】
【０００９】
【特許文献１】欧州特許出願公開第２  ０６５  １２５  Ａ２号
【発明の概要】
【発明が解決しようとする課題】
【００１０】
本発明の根底にある目的は、特に少なくとも２つのワークピースの接続の自動的確立を簡単にするデバイスおよび方法を提案することである。この接続の自動的確立は、特に車両、特に自動車両の製造に用いられ得る。これは特に、車両のシャーシが車両本体に接続されるいわゆる統合にも当てはまる。
【課題を解決するための手段】
【００１１】
本発明に従うと、この目的は請求項１に従うデバイスによって達成され、請求項１の前文を構成する特許文献１の特徴の発展において、本発明に従うと、このデバイスは以下のやり方で構成される。
＞ロッキング手段は、始動エレメントとともにばね弾性的に装着されたユニットを形成し、
＞少なくとも１つのツールアタッチメント受取り空間には、解放可能かつブロック可能な保持手段が割り当てられることによって、保持手段がブロックされるときには、ツールアタッチメントは少なくとも保持手段に対する軸方向の移動に関して形状嵌合および／または圧力嵌合の方式で保持され、
＞ツールアタッチメント受取り空間には、始動エレメントに対するクランピングエレメントが割り当てられ、その割り当ては、始動エレメントがツールドライブ手段の移動の際にばね力に逆らってブロック保持手段によって保持されるツールアタッチメントに対して軸方向に動かされることによって、固定エレメントが解放される位置にロックエレメントが移行するようなやり方であり、
＞ツールドライブ手段は、ツールアタッチメントを結合するため、またはツールアタッチメントをツールドライブ手段から分離するために、ブロック保持手段によって保持されるツールアタッチメントに対して軸方向に移動可能である。
【００１２】
この構成は、さまざまな見地から有利であることが判明している。
【００１３】
一方で、ツールドライブ手段に対する結合ツールアタッチメントの形状嵌合接続の結果として、接続手段の始動の際にツールアタッチメントが確実に保持されてツールドライブ手段から偶発的に外れ得なくなる。偶発的に外れることが起こり得るのはたとえば、ネジが比較的大きいトルクにて回転されており、かつツールアタッチメントがネジヘッド（またはナット）に対してクランプすることによって得られる保持力が、先行技術の状況におけるツールドライブ手段とツールアタッチメントとの圧力嵌合接続からの上述のツールドライブ手段上のツールアタッチメントのホルダにもたらされる力よりも大きいときなどである。記載される場合において、ツールアタッチメントはネジヘッド上に残って外れるだろう。
【００１４】
この理由から、特許文献１に従う構成に従う限り、請求項１の主題によって、特に自動動作において、ツールアタッチメントが偶発的に外れて後で探す必要がなくなることが確実にされる。このことは製造の中断ももたらす。
【００１５】
製造における係留性に関するツールアタッチメントのこの改善された装着にもかかわらず、本発明は自動化された方式でツールアタッチメントの交換を行うことを可能にする。
【００１６】
有利であることに、ツールドライブ手段に結合され得るさまざまなツールアタッチメントを受取り得るデバイスが提案される。結果として、ツールアタッチメントの交換によって異なる接続手段が留められ得る。これらの異なる接続手段は、たとえば異なるサイズ（すなわち特に異なるネジ山サイズ）のネジなどであってもよい。
【００１７】
説明した構成は、ツールアタッチメントの交換を行うことを可能にする。ツールアタッチメントの交換のプロセスは、以下の方法請求項とともにより詳細に説明される。
【００１８】
マガジンは簡単な方式で、定められた配置区域による個々のツールアタッチメントの整然とした保存を提供し、ツールアタッチメントはこの配置区域内に保存されて再び取り出され得る。
【００１９】
交換され得る異なるツールアタッチメントを伴うマガジンの構成に加えて、１つまたは複数の接続手段およびツールアタッチメントがマガジン内に保存される構成も考えられる。マガジン内の接続手段が１つの同じツールアタッチメントによって始動され得る限り、マガジン内にはただ１つのツールアタッチメントを保存すれば十分である。この場合、関連するツールアタッチメント（ただ１つのツールアタッチメントであってもよい）がマガジン内に保存されるので、マガジンのすべての接続手段が１つのツールドライブ手段によって処理され得る。
【００２０】
請求項２に記載の構成において、マガジンは、接続手段を受取るための少なくとも１つの接続手段受取り空間をさらに含み、接続手段がその軸方向にマガジンの外に動かされて、ツールドライブ手段によって駆動されるツールアタッチメントによる始動によって少なくとも２つのワークピースの接続を確立することで、少なくとも２つのワークピースは接続手段によって互いに接続されることができ、ここでツールアタッチメントはツール係合領域においてそれぞれの接続手段を選び、接続手段のツール係合領域の下の接続手段受取り空間内には、ツールアタッチメントを通すための開口部が存在する。
【００２１】
この状況においては、欧州特許第２  ４１６  ９２７  Ｂ１号が参照される。この特許明細書から、接続手段に対する複数の受取り空間を有するマガジンを提供することはすでに公知である。最初にこれらの接続手段がこれらの受取り空間の中に位置決めされ、その後これらの接続手段が対応して始動されるためにツールによって選ばれるまで、保持手段によって保持される。
【００２２】
これに対し、請求項２に記載の本発明によるデバイスは、接続手段と１つまたは複数のツールアタッチメントとの両方を中に保存できるマガジンを含む。保存される接続手段に加えて、嵌合ツールアタッチメントまたは複数の嵌合ツールアタッチメントも保存できるため、これは有利であることが判明する。こうしたやり方で形成されたマガジンへのアクセスによって、自動製造プロセスにおける短いサイクル時間によって有利な方式で接続が確立され得る。
【００２３】
請求項３に記載の構成において、マガジンは、次のようなやり方でクランピングエレメントが保持手段に対して軸方向に移動可能となるようなやり方で、２つの部分に分けられる。
・第１の位置のクランピングエレメントと保持エレメントとが、クランピングエレメントによって固定エレメントが解放される位置に保持された始動エレメントを有する、マガジンに挿入されたツールドライブ手段と、保持手段によってツールアタッチメント受取り空間に保持されたツールアタッチメントとが互いに間隔を置かれるような距離を有し、かつ
・クランピングエレメントと保持手段とがこの位置から互いに向かって第２の位置に動かされることができ、この第２の位置においてツールアタッチメントはツールドライブ手段の上に差し込まれるか、またはツールドライブ手段の中に差し込まれ、ツールアタッチメントは第１の位置からこの第２の位置への移行においても保持手段によって保持されており、始動エレメントが第１の位置からこの第２の位置への移行においてばね力に逆らってクランピングエレメントによって保持されることによって、ロッキングエレメントは固定エレメントが解放される位置にあり、かつ
ツールドライブ手段は、この第２の位置からクランピングエレメントに対する第３の位置に動かされることができ、それによってツールアタッチメントがツールドライブ手段の上に差し込まれるか、またはツールドライブ手段の中に差し込まれて固定エレメントによってこの位置に保持され、第２の位置から第３の位置への移行において、ツールアタッチメント受取り空間の保持手段は解放され、クランピングエレメントは解放される。
【００２４】
有利であることに、デバイスの構成が記載され、この構成においてはマガジンへのツールドライブ手段の挿入の際に、始動エレメントがばね力に逆らって自動的に動かされ、次いで保持される。結果として、固定エレメントが解放されることにより、ツールアタッチメントがツールドライブ手段の上に置かれ得る。その後、ツールアタッチメントの保持手段が開かれる。結果として、ツールアタッチメントはツールドライブ手段上にとどまる。その後、クランピングエレメントが開かれることによって、固定エレメントが固定される位置にロッキングエレメントが移行して、ツールアタッチメントを形状嵌合の方式で保持する。
【００２５】
請求項４はデバイスの構成を記載しており、この構成においてはマガジン内の少なくとも１つのツールアタッチメント受取り空間と、少なくとも１つの接続手段受取り空間とが、互いに隣り合って１つのレベルに配置される。
【００２６】
結果として、マガジンは全体として平坦なままである。
【００２７】
しかしここでは、ツールドライブ手段にツールアタッチメントを差込むかまたは挿入するために、最初にツールドライブ手段をマガジンのツール受取り空間に対して軸方向に動かす必要がある。
【００２８】
その後、後で接続手段がもはや接続手段受取り空間内に保持されていないときにこの接続手段を始動できるようにするために、ツールドライブ手段をツールアタッチメントとともに接続手段受取り空間内の接続手段の下に位置決めする必要がある。
【００２９】
その後、接続手段が留められたときに、ツールドライブ手段はツールアタッチメントとともに後向きに動かされる必要がある。ツールアタッチメントをツールアタッチメント受取り空間に戻すときには、ツールドライブ手段を再びツールアタッチメントとともにツールアタッチメント受取り空間に対して位置決めして、軸方向に動かす必要がある。
【００３０】
ツールアタッチメントは再びツールアタッチメント受取り空間内で保持手段によって保持され、ツールアタッチメントをツールドライブ手段から解放するために、ツールドライブ手段は再びツールアタッチメント受取り空間に対して軸方向に動かされる。これは、固定エレメントが解放される位置にロッキングエレメントがあるときの位置において、始動エレメントがばね力に逆らって保持されるときに順に起こる。
【００３１】
しかし全体的に、この配置において、マガジン内には（異なる）ツールアタッチメントに対して提供する必要のあるツールアタッチメント受取り空間としての空間のみが必要であるため、マガジン内の空間は良好に用いられている。残りに対しては、接続手段受取り空間のための空間が利用可能である。たとえば、マガジン内にただ１つのタイプの接続手段が保存されているときは、ただ１つのツールアタッチメント受取り空間を提供すれば十分である。
【００３２】
有利な発展においては、ツールアタッチメント受取り空間または接続手段受取り空間のどちらとしても使用され得る受取り空間が一般的に存在するようなやり方で、マガジンが構成される。ここで保持手段は、受取り空間内のツールアタッチメントおよび接続手段の両方を保持できるようなやり方で構成される。
【００３３】
この有利な発展は、マガジンを柔軟な方式で用いることを可能にする。残りに対してマガジン内に同一の接続手段のみが保存されているとき、マガジン内にはただ１つのツールアタッチメントを保存すれば十分である。マガジン内に異なるタイプの接続手段が保存されているときは、対応するツールアタッチメントに対する対応する数の受取り空間が柔軟な方式で提供され得る。
【００３４】
接続手段受取り空間に対するツールアタッチメント受取り空間の配置も、異なる態様で提供され得る。
【００３５】
請求項５に記載の実施形態において、マガジンは、第１のレベルに配置された複数のツールアタッチメント受取り空間と、第２のレベルに配置された複数の接続手段受取り空間とを含む。ツールアタッチメントが接続手段の軸方向に動かされるときに、接続手段のツール係合領域においてツールアタッチメントが接続手段を選ぶようなやり方で、接続手段受取り空間内の接続手段がツールアタッチメント受取り空間内のツールアタッチメントに対して位置決めされるようなやり方で、第１のレベルのツールアタッチメント受取り空間が接続手段受取り空間に対して配置される。
【００３６】
よって、この請求項が記載する構成において、各場合に１つのツールアタッチメント受取り空間が１つの接続手段受取り空間の下に位置する。これによって、対応する軸方向の移動による接続手段の各装着プロセスの前に、最初にツールアタッチメント受取り空間からのツールアタッチメントを結合し、次いで接続手段を始動し、その後ツールアタッチメントを後退させるときにツールアタッチメント受取り空間内のツールアタッチメントを解放することが可能になる。
【００３７】
よって、以下の移動過程が生じる。
＊ツールドライブ手段をツールアタッチメント受取り空間の下に位置決めする。
＊ツールアタッチメントをツールドライブ手段に結合させるために、ツールドライブ手段をツールアタッチメント受取り空間に対して軸方向に動かす。これを行う際に、ツールアタッチメントはブロックされた保持手段によって保持される。ツールドライブ手段の始動エレメントがクランピングエレメントによってばね力に逆らって保持されることにより、ロッキングエレメントは固定エレメントが解放される位置にある。
＊ツールアタッチメントがツールドライブ手段に結合した後に、保持手段が解放される。同様にクランピングエレメントが解放されることによって、始動エレメントを介して、ロッキングエレメントは固定エレメントが固定される位置に移行する。結果として、ツールアタッチメントはツールドライブ手段の上に形状嵌合の方式で保持される。
＊ツールドライブ手段は結合されたツールアタッチメントとともに、接続手段に向かって軸方向に動かされて、接続手段を始動する。
＊接続手段が自身の最終位置に達したとき、ツールドライブ手段は形状嵌合によって結合したツールアタッチメントとともに後退する。
＊ツールアタッチメントがツールアタッチメント受取り空間に位置するとき、保持手段はブロックされる。同様に、固定エレメントが解放される位置にロッキングエレメントがあるようなやり方で、始動エレメントはクランピングエレメントによってばね力に逆らって保持される。
＊ツールアタッチメントに対するツールドライブ手段のさらなる移動によって、ツールアタッチメントはツールドライブ手段から解放される。
【００３８】
この実施形態において、ツールアタッチメント受取り空間に対する接続手段受取り空間の定められた割り当てが存在することが有利であることが判明している。結果として、さまざまな接続手段が１つのマガジンによって単純な方式で取り扱われ得る。
【００３９】
たとえば、実際にはただ１つのツールアタッチメントが必要とされるただ１つのタイプの接続手段が用いられるときなどに、より高い空間の要求およびツールドライブ手段に対する要求の増加が存在し得る。１つの（同一の）ツールアタッチメントによって始動され得る複数の類似の接続手段がマガジン内に存在するときにも、同じことが当てはまる。
【００４０】
請求項６の構成において、マガジンは、第１のレベルに配置された複数のツールアタッチメント受取り空間と、第２のレベルに配置された複数の接続手段受取り空間とを含む。マガジンは少なくとも２つの部分において構成されており、ツールアタッチメントが接続手段の軸方向に動かされるときに、接続手段のツール係合領域においてツールアタッチメントが接続手段を選ぶようなやり方で、接続手段受取り空間内の接続手段がツールアタッチメント受取り空間上のツールアタッチメントに対して位置決めされ得るようなやり方で、第１のレベルのツールアタッチメント受取り空間を有する第１の部分が、第２のレベルの接続手段受取り空間を有する第２の部分に対して位置決めされ得る。
【００４１】
この構成は請求項５の構成に対応するが、接続手段受取り空間に対するツールアタッチメント受取り空間の固定された割り当ては存在しない。２つの部分が互いに対して位置決めされ得るという事実によって、対応するツールアタッチメント受取り空間がそれぞれの接続手段受取り空間に対して位置決めされることで、複数の同一の接続手段に対して１つのツールアタッチメントを使用できる。これは、請求項５に関連して記載される動きの順序の第１のステップの前に起こる。
【００４２】
請求項７によると、ツールドライブ手段は回転可能なエレメントを含む。少なくとも１つの接続手段は、ネジ山部分を含む。ここで、ツールアタッチメントをツールドライブ手段と結合および分離するためのツールドライブ手段の軸方向の移動は、回転可能エレメントの回転なしに起こる。
【００４３】
したがって軸方向の移動において、この移動がツールアタッチメントを結合および解放するために起こっているものか、さらに接続手段の端部位置に達した後にツールアタッチメントを引き離すために起こっているものかを区別すべきである。軸方向のこれらの移動は、回転可能エレメントの回転によってもたらされる。
【００４４】
ツールドライブ手段がネジ山部分を有する接続手段の始動のために軸方向に動かされるとき、これは対応する方式でネジ山を有する接続手段を軸方向に動かすための回転可能エレメントの回転によって起こる。
【００４５】
ここで、解放された固定エレメントによってツールアタッチメントを結合し得るようなやり方で、ツールドライブ手段とツールアタッチメントとを互いに対して向き付けるようなやり方で、結合の際にツールアタッチメントに対して回転可能エレメントを回転させることは、本発明の範囲内である。しかし、この回転は制限されており、有利にはネジ山部分を有する接続手段を動かすための通常の回転よりも低速で行われる。
【００４６】
請求項８は、先行請求項の１つに従うデバイスによる少なくとも２つのワークピースの自動接続のための方法に関する。
＊第１のステップにおいて、保持手段はブロック位置にあり、少なくとも保持手段に対する軸方向の移動に関して、ツールアタッチメントを形状嵌合および／または圧力嵌合の方式でブロックする。さらにこの第１のステップにおいては、固定エレメントが解放される位置にロッキングエレメントがあるようなやり方で、始動エレメントがクランピングエレメントによってばね弾性力に逆らって移動または保持される。さらにこのステップにおいては、ツールアタッチメントとツールドライブ手段とを結合させるために、ツールドライブ手段はブロック保持手段によって保持されるツールアタッチメントに対して軸方向に動かされる。
＊第２のステップにおいて、ツールアタッチメントとツールドライブ手段との結合の後に、保持手段は解放される。さらに、クランピングエレメントが始動エレメントを解放することによって、ロッキングエレメントは固定エレメントがロックされる位置に移行する。
＊第３のステップにおいて、結合したツールドライブ手段を有するツールアタッチメントによって、少なくとも１つの接続手段が始動される。
＊その後の第４のステップにおいて、ツールアタッチメントはマガジンのツールアタッチメント受取り空間内に位置決めされる。
＊第５のステップにおいて、このツールアタッチメント受取り空間の保持手段はブロック位置にされる。
＊第４および／または第５のステップにおいて、始動エレメントがクランピングエレメントによって保持されることによって、始動エレメントはばね力に逆らって移動または保持され、ロッキングエレメントは固定エレメントが解放される位置に移行する。
＊第６のステップにおいて、ツールドライブ手段からツールアタッチメントを分離するために、ツールドライブ手段は、ブロック保持手段に保持されたツールアタッチメントに対して軸方向に動かされる。
＊第７のステップにおいて、クランピングエレメントが開かれることによって、始動エレメントはばね力によって、固定エレメントがロックされる位置をロッキングエレメントが有するときの位置に移行する。
【００４７】
請求項８による方法は、先行請求項の１つによるマガジンを用いた方法ステップの順序を記載する。よってそこに記載される利点は、請求項８に従う方法にも当てはまる。
【００４８】
請求項９は、マガジン内に複数のツールアタッチメント受取り空間が存在する、本発明の実施形態に関する。第１のステップの前に、このツールアタッチメント受取り空間に対するツールドライブ手段のその後の相対的な移動において、ツールアタッチメントがツールドライブ手段と結合されるようなやり方で、ツールドライブ手段とツールアタッチメント受取り空間の１つとが互いに対して向き付けされる。
【００４９】
請求項１０は、ツールドライブ手段が回転可能エレメントを含む方法の構成に関する。少なくとも１つの接続手段は、ネジ山部分を含む。ツールドライブ手段との結合または分離における、ブロック保持手段に保持されたツールアタッチメントに対するツールドライブ手段の軸方向の移動は、回転可能エレメントの回転なしに起こる。
【００５０】
これは、デバイスの構成を示す請求項７に関連する記載に対応する。
【００５１】
上述の請求項における限り、ブロック保持手段に保持されたツールアタッチメントに対するツールドライブ手段の相対的移動が提供され、これは保持手段が自身の位置にとどまり、ツールドライブ手段が動かされることで実現され得る。同様に、ツールドライブ手段が自身の位置にとどまり、ツールアタッチメントの保持手段がツールアタッチメントに対して動かされることも可能である。保持手段はブロックされているため、ツールアタッチメントもツールドライブ手段に対して動かされる。ここで、保持手段はマガジンに対して移動可能であり得る。同様に、マガジンが複数の部分において形成されて、保持手段を有する部分が全体的に動かされることも可能である。この場合、保持手段はマガジンの対応部分に固定的に取り付けられて、ブロックおよび解放位置の間でのみ切り換え可能である。
【００５２】
本発明の例示的実施形態を図面において表す。図面は以下を示す。
【図面の簡単な説明】
【００５３】
【図１】ツールドライブ手段の例示的実施形態を示す図である。
【図２】ツールドライブ手段を伴う異なる位置におけるマガジンの断面図を示す図である。
【図３】ツールドライブ手段を伴う異なる位置におけるマガジンの断面図を示す図である。
【図４】ツールドライブ手段を伴う異なる位置におけるマガジンの断面図を示す図である。
【図５】ツールドライブ手段を伴う異なる位置におけるマガジンの断面図を示す図である。
【図６】固定エレメント、ロッキングエレメント、および始動エレメントによるツールドライブ手段へのツールアタッチメントの結合の基本原理の説明を示す図である。
【発明を実施するための形態】
【００５４】
図１はツールドライブ手段１に対する例示的実施形態を示しており、これはドライブモーター５およびスピンドル６からなる。
【００５５】
さらにネジ山付きスピンドル２を識別でき、これはサーボモーター３によって駆動される。
【００５６】
ネジ山付きスピンドル２には、雌ネジを有するガイドスレッド４が回転を固定された方式で装着される。
【００５７】
よって、ネジ山付きスピンドル２が動かされるときに、ガイドスレッド４は上向きまたは下向きに動かされる。
【００５８】
ガイドスレッド４には、スピンドルに対するドライブモーター５が装着される。スピンドル６は、ドライブモーター５によって自身の長手軸の周りを回転するように誘導され得る。
【００５９】
スピンドル６は上側端部に嵌合領域を含み、その嵌合領域にツールアタッチメントを嵌合できる。この嵌合領域内にボール７が部分的に突出していることを識別できる。
【００６０】
固定エレメント（ここには示さず）が解放位置にあるとき、このボール７はスピンドル６内に押し込まれ得る。
【００６１】
固定エレメントには、２つの位置の間で後ろおよび前に切り換えられ得るロッキングエレメントが割り当てられる。
【００６２】
この切り換えは、固定エレメントが解放される位置にロッキングエレメントがあるときの位置で始動エレメントがばね力に逆らって保持されることによって起こる。
【００６３】
始動エレメントがこの位置に保持されていないとき、始動エレメントはばね力によって、固定エレメントが固定される位置にロッキングエレメントがあるときの位置に移行する。
【００６４】
それによってボール７が形状嵌合の方式で保持されることで、このスピンドル６が押し出される。このボール７がツールアタッチメントの窪みに係合するとき、それによってアンダーカットが形成され、それによってツールアタッチメントがツールドライブ手段上に形状嵌合の方式で保持される。
【００６５】
固定エレメントが解放位置にあるとき、ツールアタッチメントはこのボール７の上に嵌合される。ボール７の領域において、ツールアタッチメントは窪みを含む。固定エレメントが固定位置にあるとき、ボール７はツールアタッチメントのこの窪みに係合する。ツールアタッチメントの窪みとの係合によって、スピンドル６上のツールアタッチメントに対する形状嵌合的に作用する保持力が存在する。
【００６６】
サーボモーター３のみが駆動されてドライブモーター５が駆動されていないとき、スピンドル６が回転することなくツールドライブ手段１（すなわちドライブモーター５およびスピンドル６）は上向きまたは下向きに動かされる。ドライブモーター５が動作するとき、スピンドル６が回転する。
【００６７】
この実施形態において、ツールドライブ手段１によって接続手段として回転されるネジのネジ山のピッチと、ネジ山付きスピンドル２のピッチとに対応して、サーボモーター３の回転速度は有利にはドライブモーター５の回転速度と同期される。結果として、ツールドライブ手段の鉛直方向の速度は、接続手段の対応する速度と同期される。
【００６８】
図２は、マガジン２０１の断面を示す。このマガジンは２つの部分２０２および２０３からなっており、これらの部分は矢印２０４および２０５に対応して、これら２つの部分２０２および２０３が間隔を置かれている図示された位置から、これらの部分の一方が他方の頂部で静止する位置まで動かされ得る。
【００６９】
マガジン２０１の第１の部分２０２にはツールアタッチメント受取り空間２０６が存在し、その中で、ここではレンチとして形成されたツールアタッチメント２０７が保持手段２０８によって保持される。保持手段２０８は矢印２０９に従って移動可能であることにより、ツールアタッチメント２０７は保持手段２０８によって（図２に表される）ブロック位置で保持される。
【００７０】
マガジン２０１の第２の部分２０３においては、ツールドライブ手段２１２に対する挿入開口部２１１内にクランピングエレメント２１０が形成される。
【００７１】
このクランピングエレメント２１０は、矢印２１６に対応して移動可能なエレメントからなり、これらのエレメントは挿入開口部２１１を解放するか、またはツールドライブ手段２１２の始動エレメント２１３上の窪み２１７と係合されるようなやり方で移動可能である。
【００７２】
ツールドライブ手段２１２のシャフト２１４のみが引かれ、そのシャフト２１４内にツールアタッチメント２０７が挿入される。
【００７３】
ここで、マガジン２０１の第２の部分２０３の挿入開口部２１１にツールドライブ手段２１２が挿入されるとき、クランピングエレメント２１０のエレメントが始動エレメント２１３の窪み２１７に挿入されることで、始動エレメント２１３は図２の破線図示に対応する位置に保持される。これによって、マガジン２０１の第２の部分２０３の挿入開口部２１１にツールドライブ手段２１２が挿入されるとき、始動エレメント２１３はばね力に逆らって固定されて保持される。
【００７４】
図３は図２の部分を示しており、ここではマガジン２０１の第１の部分２０２とマガジン２０１の第２の部分２０３とが図２の矢印２０４および２０５の方向に対応して互いに向かって動かされており、よってマガジン２０１のこれら２つの部分２０２および２０３は一方が他方の頂部にて静止している。
【００７５】
ツールアタッチメント２０７は、ブロック保持手段２０８によってマガジン２０１の第１の部分２０２に対して保持される。ツールドライブ手段２１２は、マガジン２０１の第２の部分２０３に対して固定的に位置決めされる。２つの部分２０２および２０３の互いに向かう移動の結果として、ツールドライブ手段２１２はツールアタッチメント２０７に対して軸方向に動かされる。
【００７６】
ツールアタッチメント２０７の保持手段２０８は、ツールアタッチメント２０７を保持し続ける。
【００７７】
ツールドライブ手段２１２の始動エレメント２１３は、始動エレメント２１３の窪み２１７に挿入されたクランピングエレメント２１０によって、ばね力に逆らって保持される。
【００７８】
結果として、ロッキングエレメントは固定エレメントが解放される位置にある。結果として、ツールドライブ手段２１２のシャフト２１４にツールアタッチメント２０７が挿入され得る。
【００７９】
図４は、次のステップにおいて、マガジン２０１からツールドライブ手段２１２を引き出す前に、ツールアタッチメント２０７の保持手段２０８が解放される様子を示す。結果として、後にマガジン２０１からツールドライブ手段２１２が引き出されるときに、ツールアタッチメント２０７はシャフト２１４内にとどまる。図４のこの位置において、クランピングエレメント２１０はなおも始動エレメント２１３の窪み２１７に係合し、始動エレメント２１３をばね力に逆らって保持する。
【００８０】
図５は、ツールドライブ手段２１２が矢印５０１の方向に対応してマガジン２０１から引き出される様子を示す。
【００８１】
ここで、ツールアタッチメント２０７はツールドライブ手段２１２の上に位置する。
【００８２】
ツールアタッチメント２０７の保持手段２０８が解放される。同様に、クランピングエレメント２１０が解放される。このことは、クランピングエレメント２１０のエレメントが矢印２１６に対応して始動エレメント２１３の窪み２１７から引き出されることで起こる。結果として始動エレメント２１３は解放され、作用するばね力によって、固定エレメントが形状嵌合の方式で固定される位置にロッキングエレメントがあるときの位置に動く。
それによってツールアタッチメント２０７はツールドライブ手段２１２上に形状嵌合の方式で保持され、さらなる装着作業のために利用可能である。
【００８３】
装着作業を行った後に、ツールアタッチメントをツールドライブ手段から取り外して、マガジン２０１のツール受取り空間２０６に保存する場合には、これは図５、４、３、および２の順序で起こる。
【００８４】
図５の図示に対応する第１のステップにおいて、ツールドライブ手段２１２は、マガジン内の開いた保持手段２０８を有するツール受取り空間２０６に挿入される。これは矢印５０１の方向とは逆に起こる。
【００８５】
ここで、クランピングエレメント２１０のエレメントは、始動エレメント２１３の窪み２１７に挿入される。ツールドライブ手段１２がマガジン２０１にさらに挿入されるとき、それによって始動エレメント２１３は、固定エレメントが解放される位置にロッキングエレメントがあるときの位置に動かされ、そこで保持される。
【００８６】
ツールアタッチメント２０７は、なおもシャフト２１４内に位置する。ツールアタッチメント受取り空間２０６の保持手段２０８は、なおも開いている。これは図４の図示に対応する。
【００８７】
その後、図３の表現に対応して、保持手段２０８は、ツールアタッチメント２０７がブロックされる位置にされる。
【００８８】
図２の表示（ツールドライブ手段２１２の破線図示）に対応する次のステップにおいて、マガジン２０１の２つの部分２０２および２０３は、矢印２０４および２０５の方向とは逆に互いから離れるように動かされる。特に、マガジン２０１の部分２０２に対してブロック保持手段２０８によって保持されるツールアタッチメント２０６も、ツールドライブ手段２１２から取り出される。ここで、固定エレメントはまだ解放されている。
【００８９】
結果として、マガジン２０１の２つの部分２０２および２０３が互いから離れるように動かされるとき、ツールアタッチメント２０７はツールドライブ手段２１２のシャフト２１４から引き出される。
【００９０】
その後、ツールドライブ手段２１２は、矢印２１５の方向とは逆に、解放されたクランピングエレメント２１０を有するマガジン２０１から引き出され、別のツールアタッチメントを再装備し得る。
【００９１】
これらの図面の例示的実施形態は、ツールアタッチメント２０７とツールドライブ手段２１２との結合および分離のみを示す。ツールアタッチメント受取り空間（単数または複数）２０６が第１のレベルに配置され、接続手段受取り空間がその真上に配置されるようなやり方でマガジンが構成されるとき、上に配置された接続手段受取り空間から接続手段を出してその装着位置に動かすために、挿入開口部２１１およびツールアタッチメント受取り空間は内法に関して、少なくともツールドライブ手段２１２の始動エレメント２１３を伴うシャフト２１４が挿入開口部２１１およびおそらくはツールアタッチメント受取り空間２０６をも通ってガイドされ得るようなやり方で寸法決めされる必要があることが分かる。
【００９２】
図６は、固定エレメント６０１、ロッキングエレメント６０２、および始動エレメント２１３によるツールドライブ手段２１２へのツールアタッチメント（ここには示さず）の結合の基本原理の説明を示す。
【００９３】
ツールドライブ手段２１２の断面が表される。
【００９４】
始動エレメント２１３を識別でき、これは接続エレメント６０３を介してロッキングエレメント６０２に接続される。前記接続エレメント６０３は、ツールドライブ手段２１２のシャフト２１４の内側に延在する軸方向の長手スロット６０４内に支持される。それによって、接続エレメント６０３を介した始動エレメント２１３およびロッキングエレメント６０２によって形成されるユニットは、ツールドライブ手段２１２のシャフト２１４に対して軸方向に移動できる。ロッキングエレメント６０２は、ツールドライブ手段２１２のシャフト２１４の内側のボア内に延在する。
【００９５】
始動エレメント２１３と、接続エレメント６０３と、ロッキングエレメント６０２とで構成されるユニットはばね弾性装着され（６０５）、ばね力によって図６に示される位置に保持されることが分かる。
【００９６】
始動エレメント２１３は、ツールドライブ手段のシャフト２１４に対して軸方向に、矢印６０６の方向にばね力（６０５）に逆らって移動可能である。ロッキングエレメント６０２が接続エレメント６０３を介して始動エレメント２１３に結合されているという事実によって、始動エレメント２１３が矢印６０６の方向に動かされるとき、ロッキングエレメント６０２は矢印６０７の方向に沿って動かされる。
【００９７】
結果として、シャフト２１４内のボア穴内の固定エレメント６０１の後ろに矢印６０８の方向に位置する空間がアクセス可能にされる。矢印６０８の方向に力を加えると、固定エレメント６０１はシャフト２１４内に入って、シャフト２１４の外表面と同一平面になる。
【００９８】
図６に示される状況においては、ロッキングエレメント６０２が空間を満たしているため、外側から固定エレメント６０１に力が作用したときに固定エレメント６０１がシャフト２１４内に入ることが、形状嵌合の方式で防がれる。
【００９９】
固定エレメント６０１およびロッキングエレメント６０２の互いに対する接触表面は、固定エレメント６０１の底部分におけるこの表面が垂直に、すなわちシャフト２１４の軸方向に延在するようなやり方で設計される。上側部分において、これらの接触表面は傾斜を有するような方式で延在する。ロッキングエレメント６０２がばね力６０５に逆らって下向きに動かされ、かつ固定エレメント６０１がシャフト２１４内に動かされるとき、上側領域における接触表面の傾斜コースによって、ロッキングエレメントがばね力６０５に沿って図６に示される位置に移行するときに、固定エレメント６０１が再び外向きに押されてロッキングエレメントを回避することが達成される。このことは、ロッキングエレメントが図６に示される位置にあるときに固定エレメント６０１が形状嵌合の方式で保持および固定される接触表面の鉛直部分によって達成される。接触表面の鉛直部分があるために、固定エレメント６０１に矢印６０８の方向に力が加えられても、ロッキングエレメント６０２は下向きに押されない。
【０１００】
始動エレメント２１３には、中にクランピングエレメント２１０が係合する窪み２１７が再びみられる。
【０１０１】
ロッキングエレメント６０２と固定エレメント６０１とが、シャフト２１４内のそれぞれのボア穴をできる限り完全に満たすことが有利であることが判明している。これは、ロッキングエレメント６０２と固定エレメント６０１とが、それらの表面によってボア穴のそれぞれの壁に当接していることを意味する。結果として、ロッキングエレメント６０１および固定エレメント６０１の可動性が確実にされる。さらにこのことによって、シャフト全体が最大限の寸法安定性を保ち、特にねじり応力および曲げ応力に関する良好な機械的強度を有することが達成される。
【国際調査報告】
2019504773.tif 000009
2019504773.tif 000010
2019504773.tif 000011
2019504773.tif 000012
2019504773.tif 000013
2019504773.tif 000014